(57)【要約】【課題】中間周波信号においてイメージ信号成分を確実に除去する。【解決手段】発振器２は所定のイメージ周波数を有する基準イメージ信号を発生し、アンテナ１は所定の無線周波数を有する無線信号を受信する。振幅位相調整回路３０は、コントローラ２００からの調整開始信号Ｃ０に応答して、スイッチＳＷ１を接点ａ側に切り換えるように制御し、無線受信回路１００からの出力信号Ｓ１の信号電圧が最小になるように、可変利得増幅器１１の利得を制御するための利得制御信号ＣＡの信号電圧及び移相器９の移相量を制御するための移相量制御信号ＣＰの各信号電圧を調整し、調整した各信号電圧を有する利得制御信号ＣＡ及び移相量制御信号ＣＰを、可変利得増幅器１１及び移相器９にそれぞれ出力する。さらに、振幅位相調整回路３０はスイッチＳＷ１を接点ｂ側に切り換えるように制御する。【選択図】図１
2008124954.tif 000002
【特許請求の範囲】
【請求項１】
入力信号に対して、所定の局部発振周波数を有しかつ互いに９０度異なる位相を有する１対の局部発振信号を用いて、所定の中間周波数を有する１対の中間周波信号に周波数変換し、一方の中間周波信号を所定の移相量だけ移相した後、上記１対の中間周波信号を加算することにより加算結果の中間周波信号を出力する無線受信手段を備えた無線受信回路において、
上記局部発振周波数と上記中間周波数との差の周波数であるイメージ周波数を有する基準イメージ信号を上記入力信号として入力したときに、上記加算結果の中間周波信号の信号レベルが最小となるように、上記１対の中間周波信号の一方の中間周波信号の信号レベルと、上記１対の中間周波信号の一方又は他方の位相とを調整する調整手段を備えたことを特徴とする無線受信回路。
【請求項２】
上記調整手段は、上記１対の局部発振信号の一方又は他方の位相を調整することにより、上記１対の中間周波信号の一方又は他方の位相を調整することを特徴とする請求項１記載の無線受信回路。
【請求項３】
上記調整手段は、上記１対の中間周波信号の一方の中間周波信号の信号レベルである第１の変数と、上記１対の中間周波信号の一方又は他方の位相である第２の変数とのうちの一方の変数を所定値に設定し、上記加算結果の中間周波信号の信号レベルが最小となるように他方の変数を調整した後、当該他方の変数を当該調整後の変数に設定し、上記加算結果の中間周波信号の信号レベルが最小となるように上記一方の変数を調整することを特徴とする請求項１又は２請求項に記載の無線受信回路。
【請求項４】
上記調整手段は、上記調整を行った後に、所定の無線周波数を有する無線受信信号を上記入力信号として入力することを特徴とする請求項１〜請求項３のいずれかの請求項に記載の無線受信回路。
【請求項５】
上記調整手段は、上記無線受信回路の電源投入時に、上記調整を行うことを特徴とする請求項１〜請求項４のいずれかの請求項に記載の無線受信回路。
【請求項６】
上記調整手段は、上記無線周波数の変更時に、上記調整を行うことを特徴とする請求項４記載の無線受信回路。
【請求項７】
請求項１〜請求項６のいずれかの請求項に記載の複数の無線受信回路と、
上記各無線受信回路を制御する制御手段と、
上記各無線受信回路の上記各無線受信手段からの各加算結果の中間周波信号に対して所定のダイバーシティ処理を実行して出力するダイバーシティ合成手段とを備え、
上記各無線受信回路は、
上記局部発振周波数を有する発振信号及び上記基準イメージ信号を発生して出力する発振手段と、
上記発振手段からの発振信号を上記１対の局部発振信号に変換して出力する変換手段とをさらに備え、
上記制御手段は、上記複数の無線受信回路のうちの１つの無線受信回路の発振手段を上記発振信号を発生して上記１つの無線受信回路の上記変換手段に出力するように制御するとともに、上記複数の無線受信回路のうちの他の無線受信回路の発振手段を上記基準イメージ信号を発生して上記１つの無線受信回路に上記入力信号として出力するように制御することにより、上記１つの無線受信回路の上記調整手段を上記調整を行うように制御することを特徴とするダイバーシティ無線受信システム。
【発明の詳細な説明】
【技術分野】
【０００１】
本発明は、アンテナで受信された受信信号を中間周波信号に変換する無線受信装置に関する。
【背景技術】
【０００２】
従来、周波数ｆｒを有する無線信号を、所定の中間周波数ｆｌを有する発振信号と混合した後、周波数ｆｉｆ（＝ｆｒ−ｆｌ）を有する信号を通過させ、かつ周波数ｆｉｆ以外の周波数を有する信号を遮断するフィルタを通過させることにより、周波数ｆｉｆを有する中間周波信号に低域周波数変換した後、中間周波信号を後段の復調器に出力するスーパーヘテロダイン方式の無線受信装置において、以下の課題があった。すなわち、イメージ周波数ｆｉｍ＝（ｆｌ−ｆｉｆ）を有するイメージ信号を上記の無線受信装置で受信すると、イメージ信号は周波数ｆｉｆを有する信号に周波数変換され、所望の無線信号の中間周波信号と、イメージ信号を周波数変換した信号とが混信した。
【０００３】
スーパーヘテロダイン方式の無線受信装置における上記の課題を解決するために、アンテナによって受信されかつ所望の無線受信信号とイメージ信号とを含む受信信号を周波数ｆｉｆを有するＩ相信号に周波数変換する第１の混合器と、当該受信信号を周波数ｆｉｆを有するＱ相信号に周波数変換する第２の混合器と、Ｑ相信号を９０度だけ移相させて移相後Ｑ相信号を発生して出力する移相器と、Ｉ相信号と移相後Ｑ相信号とを加算し、加算結果の信号を中間周波信号として出力する加算器とを備えた従来技術に係る無線受信回路が知られている。従来技術に係る無線受信回路において、Ｉ相信号に含まれるイメージ信号成分と、移相後Ｑ相信号に含まれるイメージ信号成分との間では、振幅が一致しかつ位相差が１８０度であるので、中間周波信号においてイメージ信号成分は相殺され、所望の無線受信信号を低域周波数変換した中間周波信号が得られる。しかしながら、実際には、上記の従来技術に係る無線受信回路を構成する各回路の温度特性等の特性のばらつきにより、中間周波信号においてイメージ信号成分は完全には相殺されなかった。
【０００４】
特許文献１には、上記の従来技術に係る無線受信回路と、Ｉ相信号と移相後Ｑ相信号の位相差を検出する位相検出回路と、Ｉ相信号と移相後Ｑ相信号の振幅差を検出する振幅差検出回路と、イメージ周波数ｆｉｍを有するイメージ信号を発生して出力する発振器と、発振器によって発生されたイメージ信号とアンテナによって受信された受信信号とを選択的に切り換えて無線受信回路に出力するスイッチ回路とを備えたイメージ除去送受信機が開示されている。このイメージ除去送受信機によれば、スイッチ回路をイメージ信号を無線受信回路に出力するように制御した後、検出された位相差及び振幅差に基づいて、Ｉ相信号と移相後Ｑ相信号との間で振幅が一致しかつ位相差が１８０度になるように、第２のＱ相信号の振幅及び移相器の移相量を制御する。従って、その後、スイッチ回路をアンテナによって受信された受信信号を無線受信回路に出力するように制御したときに、所望の無線受信信号を低域周波数変換した中間周波信号が得られる。
【０００５】
【特許文献１】特開平１１−２５１９４７号公報。
【発明の開示】
【発明が解決しようとする課題】
【０００６】
しかしながら、特許文献１に記載のイメージ除去送受信機では、Ｉ相信号と移相後Ｑ相信号とを加算する加算器の温度特性などの特性のばらつきにより、Ｉ相信号と移相後Ｑ相信号とが等しい割合及び同位相で加算されない場合に、加算結果の中間周波信号においてイメージ信号成分が相殺されないという問題点があった。
【０００７】
本発明の目的は以上の問題点を解決し、中間周波信号においてイメージ信号成分を、従来技術に比較して確実に除去できる無線受信装置を提供することにある。
【課題を解決するための手段】
【０００８】
第１の発明に係る無線受信回路は、
入力信号に対して、所定の局部発振周波数を有しかつ互いに９０度異なる位相を有する１対の局部発振信号を用いて、所定の中間周波数を有する１対の中間周波信号に周波数変換し、一方の中間周波信号を所定の移相量だけ移相した後、上記１対の中間周波信号を加算することにより加算結果の中間周波信号を出力する無線受信手段を備えた無線受信回路において、
上記局部発振周波数と上記中間周波数との差の周波数であるイメージ周波数を有する基準イメージ信号を上記入力信号として入力したときに、上記加算結果の中間周波信号の信号レベルが最小となるように、上記１対の中間周波信号の一方の中間周波信号の信号レベルと、上記１対の中間周波信号の一方又は他方の位相とを調整する調整手段を備えたことを特徴とする。
【０００９】
上記無線受信回路において、上記調整手段は、上記１対の局部発振信号の一方又は他方の位相を調整することにより、上記１対の中間周波信号の一方又は他方の位相を調整することを特徴とする。
【００１０】
また、上記無線受信回路において、上記調整手段は、上記１対の中間周波信号の一方の中間周波信号の信号レベルである第１の変数と、上記１対の中間周波信号の一方又は他方の位相である第２の変数とのうちの一方の変数を所定値に設定し、上記加算結果の中間周波信号の信号レベルが最小となるように他方の変数を調整した後、当該他方の変数を当該調整後の変数に設定し、上記加算結果の中間周波信号の信号レベルが最小となるように上記一方の変数を調整することを特徴とする。
【００１１】
さらに、上記無線受信回路において、上記調整手段は、上記調整を行った後に、所定の無線周波数を有する無線受信信号を上記入力信号として入力することを特徴とする。
【００１２】
またさらに、上記無線受信回路において、上記調整手段は、上記無線受信回路の電源投入時に、上記調整を行うことを特徴とする。
【００１３】
また、上記無線受信回路において、上記調整手段は、上記無線周波数の変更時に、上記調整を行うことを特徴とする。
【００１４】
第２の発明に係るダイバーシティ無線受信システムは、
上記の複数の無線受信回路と、
上記各無線受信回路を制御する制御手段と、
上記各無線受信回路の上記各無線受信手段からの各加算結果の中間周波信号に対して所定のダイバーシティ処理を実行して出力するダイバーシティ合成手段とを備え、
上記各無線受信回路は、
上記局部発振周波数を有する発振信号及び上記基準イメージ信号を発生して出力する発振手段と、
上記発振手段からの発振信号を上記１対の局部発振信号に変換して出力する変換手段とをさらに備え、
上記制御手段は、上記複数の無線受信回路のうちの１つの無線受信回路の発振手段を上記発振信号を発生して上記１つの無線受信回路の上記変換手段に出力するように制御するとともに、上記複数の無線受信回路のうちの他の無線受信回路の発振手段を上記基準イメージ信号を発生して上記１つの無線受信回路に上記入力信号として出力するように制御することにより、上記１つの無線受信回路の上記調整手段を上記調整を行うように制御することを特徴とする。
【発明の効果】
【００１５】
本発明に係る無線受信装置によれば、入力信号に対して、所定の局部発振周波数を有しかつ互いに９０度異なる位相を有する１対の局部発振信号を用いて、所定の中間周波数を有する１対の中間周波信号に周波数変換し、一方の中間周波信号を所定の移相量だけ移相した後、上記１対の中間周波信号を加算することにより加算結果の中間周波信号を出力する無線受信手段を備えた無線受信回路において、上記局部発振周波数と上記中間周波数との差の周波数であるイメージ周波数を有する基準イメージ信号を上記入力信号として入力したときに、上記加算結果の中間周波信号の信号レベルが最小となるように、上記１対の中間周波信号の一方の中間周波信号の信号レベルと、上記１対の中間周波信号の一方又は他方の位相とを調整する調整手段を備えたので、無線受信手段を構成する移相器、混合器、帯域通過フィルタ、加算器などの各回路が温度特性などの特性のばらつきを有する場合でも、加算結果の中間周波信号において、従来技術に比較して確実にイメージ信号成分を相殺できる。
【発明を実施するための最良の形態】
【００１６】
以下、本発明に係る実施形態について図面を参照して説明する。なお、以下の各実施形態において、同様の構成要素については同一の符号を付している。
【００１７】
図１は、第１の実施形態に係る、無線受信回路１００を含む無線受信装置の構成を示すブロック図である。図１において、本実施形態に係る無線受信装置は、アンテナ１と、イメージ周波数ｆｉｍを有する基準イメージ信号を発生して出力する発振器２と、スイッチＳＷ１と、無線受信回路１００と、振幅位相調整回路３０と、コントローラ２００とを備えて構成される。ここで、無線受信回路１００は、混合器４及び７と、帯域通過フィルタ（ＢＰＦ）５及び８と、入力される信号をそれぞれ９０度だけ移相させて出力する移相器６及び９と、可変利得増幅器１１と、局部発振周波数ｆｌを有する局部発振信号を発生して出力する局部発振器３と、加算器１０とを備えて１つの半導体集積回路として構成される。なお、振幅位相調整回路３０の構成については、図２を参照して詳細後述する。
【００１８】
図１において、コントローラ２００は、無線受信装置の全体の動作を制御するコントローラであって、無線受信装置の電源投入時及びアンテナ１で受信する所望の無線受信信号の周波数ｆｒの変更時に、所定のパルス幅を有するパルス信号である調整開始信号Ｃ０を発生して、振幅位相調整回路３０に出力する。
【００１９】
また、図１の無線受信装置は受信モードと調整モードとを有する。受信モードにおいて、スイッチＳＷ１は振幅位相調整回路３０からのローレベルのモード切換信号ＭＳに応答して接点ｂ側に切り換えられ、アンテナ１で受信されかつ周波数ｆｒを有する所望の無線受信信号とイメージ周波数ｆｉｍを有するイメージ信号とを含む受信信号は、スイッチＳＷ１の接点ｂを介して混合器４及び７に入力信号Ｓ０として出力される。一方、調整モードにおいて、スイッチＳＷ１は振幅位相調整回路３０からのハイレベルのモード切換信号ＭＳに応答して接点ａ側に切り換えられ、発振器２によって発生された基準イメージ信号は、スイッチＳＷ１の接点ａを介して、混合器４及び７に入力信号Ｓ０として出力される。混合器４は、入力される入力信号Ｓ０と、局部発振器３からの局部発振信号とを混合して可変利得増幅器１１に出力する。可変利得増幅器１１は、入力される信号を所定の利得で増幅して帯域通過フィルタ５に出力する。さらに、帯域通過フィルタ５は、入力される信号に対して中間周波数ｆｉｆ（＝ｆｒ−ｆｌ）を有する信号を通過させ、かつ中間周波数ｆｉｆ以外の周波数を有する信号を遮断する帯域通過ろ波処理を行い、処理後の信号をＩ相信号として加算器１０に出力する。一方、混合器７は、入力される入力信号Ｓ０と、移相器６から入力される９０度だけ移相された局部発振信号とを混合して帯域通過フィルタ８に出力する。さらに、帯域通過フィルタ８は、入力される信号に対して中間周波数ｆｉｆを有する信号を通過させ、かつ中間周波数ｆｉｆ以外の周波数を有する信号を遮断する帯域通過ろ波処理を行い、処理後の信号をＱ相信号として移相器９に出力する。移相器９は、入力されるＱ相信号を９０度だけ移相させて、移相後のＱ相信号を移相後Ｑ相信号として加算器１０に出力する。加算器１０は、入力されるＩ相信号と移相後Ｑ相信号とを加算して、加算結果の信号を出力信号Ｓ１として後段の図示しない復調器に出力するとともに振幅位相調整回路３０に出力する。なお、以下の各実施形態及び変形例において、無線受信装置の後段に設けられる復調器を図示しない。ここで、詳細後述するように、可変利得増幅器１１は振幅位相調整回路３０からの利得制御信号ＣＡに応答して所定の利得を有するように制御され、移相器９は、移相量制御信号ＣＰに応答して、入力される信号を９０度を含む所定の範囲内の移相量だけ移相させるように制御される。
【００２０】
ここで、イメージ周波数ｆｉｍと、局部発振周波数ｆｌと、中間周波数ｆｉｆとは、ｆｉｍ＝（ｆｌ−ｆｉｆ）なる関係を満たし、例えば、所望の無線受信信号の周波数ｆｒは１．２ＧＨｚ、イメージ周波数ｆｉｍは８００ＭＨｚ、局部発振周波数ｆｌは１ＧＨｚ、中間周波数ｆｉｆは２００ＭＨｚである。従って、移相器６及び９での各移相量が正確に９０度であり、かつＩ相信号の信号電圧と移相後Ｑ相信号の信号電圧とが正確に一致する理想的な場合には、Ｉ相信号に含まれるイメージ信号成分と、移相後Ｑ相信号に含まれるイメージ信号成分との間では、振幅が一致しかつ位相差が１８０度であるので、出力信号Ｓ１においてイメージ信号成分は相殺される。
【００２１】
しかしながら、実際には、無線受信回路１００を構成する混合器４及び７、帯域通過フィルタ５及び８、移相器６及び９、局部発振器３及び、加算器１０の温度特性などの各特性はそれぞればらつきを有し、出力信号Ｓ１においてイメージ信号成分は完全には相殺されないという問題がある。この問題を解決するために、詳細後述するように、本実施形態に係る無線受信装置において振幅位相調整回路３０は、無線受信回路１００からの出力信号Ｓ１の信号電圧に基づいて、出力信号Ｓ１に含まれるイメージ信号成分の信号電圧が実質的に最小になるように、可変利得増幅器１１の利得及び移相器９の移相量を制御する。
【００２２】
図３は、利得制御信号ＣＡの信号電圧に対する図１の可変利得増幅器１１の出力信号電圧の関数を示すグラフである。図３に示すように、可変利得増幅器１１の利得は利得制御信号ＣＡの信号電圧に対して単調増加し、その結果、可変利得増幅器１１の出力信号電圧は、利得制御信号ＣＡの信号電圧に対して単調増加する。また、図５は、移相量制御信号ＣＰの信号電圧に対する図１の移相器９の移相量の関数を示すグラフである。図５に示すように、移相器９の移相量は、移相量制御信号ＣＰの信号電圧に対して９０度を含む所定の範囲内で単調増加する。
【００２３】
図４は、移相量制御信号ＣＰの信号電圧を所定値に設定したときの、利得制御信号ＣＡの信号電圧に対する図１の無線受信回路１００からの出力信号Ｓ１に含まれるイメージ信号成分の振幅値の関数を示すグラフである。また、図６は、利得制御信号ＣＡの信号電圧を所定値に設定したときの、移相量制御信号ＣＰの信号電圧に対する図１の無線受信回路１００からの出力信号Ｓ１に含まれるイメージ信号成分の振幅値の関数を示すグラフである。
【００２４】
振幅位相調整回路３０は、コントローラ２００からの調整開始信号Ｃ０に応答して、ハイレベルのモード切換信号ＭＳを発生してスイッチＳＷ１に出力する。スイッチＳＷ１は、ハイレベルのモード切換信号ＭＳに応答して接点ａ側に切り換えられ、図１の無線受信装置は調整モードにされる。調整モードにおいて、発振器２によって発生された基準イメージ信号がスイッチＳＷ１の接点ａを介して無線受信回路１００に出力されるので、無線受信回路１００からの出力信号Ｓ１はイメージ信号成分のみを含む。さらに、調整モードにおいて、振幅位相調整回路３０は振幅調整モードと移相量調整モードとを有する。始めに振幅調整モードにおいて、振幅位相調整回路３０は、移相量制御信号ＣＰの信号電圧を所定の信号電圧ＣＰ０に設定して、利得制御信号ＣＡの信号電圧を変化させ、各信号電圧に対する出力信号Ｓ１の信号電圧を検出し、図４に示すように、当該検出した信号電圧が実質的に最小値Ａａｍｉｎとなるときの利得制御信号ＣＡｍｉｎを検出する。次に、振幅位相調整回路３０は、移相量調整モードにおいて、利得制御信号ＣＡの信号電圧を上記の利得制御信号ＣＡｍｉｎに設定して、移相量制御信号ＣＰの信号電圧を変化させ、各信号電圧に対する出力信号Ｓ１の信号電圧を検出し、図６に示すように、当該検出した信号電圧が実質的に最小値Ａｐｍｉｎとなるときの移相量制御信号ＣＰｍｉｎを検出する。その後、振幅位相調整回路３０は、利得制御信号ＣＡｍｉｎを発生して可変利得増幅器１１に出力するとともに、移相量制御信号ＣＰｍｉｎを発生して移相器９に出力し、ローレベルのモード切換信号ＭＳを発生してスイッチＳＷ１に出力する。これに応答して、スイッチＳＷ１は接点ｂ側に切り換えられ、図１の無線受信装置は受信モードにされる。従って、受信モードにおいて、Ｉ相信号に含まれるイメージ信号成分と移相後Ｑ相信号に含まれるイメージ信号成分とは加算器１０において実質的に相殺され、無線受信回路１００は、イメージ信号成分を実質的に含まない所望の無線信号の中間周波信号である出力信号Ｓ１を発生して、後段の復調器に出力する。
【００２５】
図２は、図１の振幅位相調整回路３０の構成を示すブロック図である。図２において、振幅位相調整回路３０は、振幅ＤＣ電圧変換回路３１と、サンプルホールド回路３２と、比較器３３と、ラッチ回路３４、３７及び３８と、制御ロジック回路３５と、アップダウンカウンタ回路３６と、Ｄ／Ａ変換器（ＤＡＣ）３９及び４０とを備えて構成される。
【００２６】
図２において、制御ロジック回路３５は、振幅位相調整回路３０の全体の動作を制御するための制御回路であって、詳細後述するように、コントローラ２００からの調整開始信号Ｃ０に応答して、ハイレベルのモード切換信号ＭＳを発生してスイッチＳＷ１に出力する。また、詳細後述するように、制御ロジック回路３５は、サンプルホールド信号ＳＨを発生してサンプルホールド回路３２に出力し、リセット信号Ｒ１及びクロック信号ＣＬ１を発生してラッチ回路３４に出力し、クロック信号ＣＬ２及びリセット信号Ｒ２をアップダウンカウンタ回路３６に出力し、リセット信号Ｒ３及びクロック信号ＣＬ３を発生してラッチ回路３７に出力し、リセット信号Ｒ３及びクロック信号ＣＬ４を発生してラッチ回路３８に出力する。さらに、詳細後述するように、制御ロジック回路３５は、ラッチ回路３４からの出力信号Ｌ１に基づいて、無線受信装置を振幅調整モードから移相量制御モードに切り換えるとともに、無線受信装置を調整モードから受信モードとを切り換える。
【００２７】
なお、制御ロジック回路３５は、パルス幅がΔｔであるハイレベルのパルス信号を時間間隔７Δｔ毎に発生することによりクロック信号ＣＬ１を発生し、クロック信号ＣＬ１を遅延量Δｔだけ遅延させることによりクロック信号ＣＬ２を発生し、クロック信号ＣＬ１を遅延量５Δｔだけ遅延させることによりクロック信号ＣＬ３及びＣＬ４を発生する。さらに、詳細後述するように、制御ロジック回路３５は、発生された各クロック信号ＣＬ１〜ＣＬ４を、それぞれ所定の時間期間において、ラッチ回路３４、アップダウンカウンタ回路３６、ラッチ回路３７、及びラッチ回路３８に出力する。
【００２８】
図７は、図２の振幅ＤＣ電圧変換回路３１に無線受信回路１００から入力される出力信号Ｓ１の電圧レベルに対する振幅ＤＣ電圧変換回路３１の出力信号Ｄ１の信号電圧の関数を示すグラフである。図７に示すように、振幅ＤＣ電圧変換回路３１は、無線受信回路１００から入力される出力信号Ｓ１の電圧レベルに比例する信号電圧を有する直流電圧信号Ｄ１を発生して、サンプルホールド回路３２及び比較器３３の非反転入力端子に出力する。
【００２９】
サンプルホールド回路３２は、制御ロジック回路３５からのローレベルのサンプルホールド信号ＳＨに応答して、入力される振幅ＤＣ電圧変換回路３１からの出力信号Ｄ１を保持せずにそのまま、出力信号Ｄ２として比較器３３の反転入力端子に出力する。また、サンプルホールド回路３２は、制御ロジック回路３５からのサンプルホールド信号ＳＨの立ち上がりエッジの各タイミングで、振幅ＤＣ電圧変換回路３１からの出力信号Ｄ１の信号電圧を検出し、その後、サンプルホールド信号ＳＨがハイレベルの期間において、当該検出した信号電圧を保持して出力信号Ｄ２として比較器３３の反転入力端子に出力する。
【００３０】
比較器３３は、サンプルホールド回路３２から入力される信号Ｄ２の信号電圧と振幅ＤＣ電圧変換回路３１から入力される信号Ｄ１の信号電圧とを比較し、信号Ｄ２の信号電圧が信号Ｄ１の信号電圧以上のときはローレベルの出力信号ＤＤを発生してラッチ回路３４に出力する一方、信号Ｄ２の信号電圧が信号Ｄ１の信号電圧未満のときは、ハイレベルの出力信号ＤＤを発生してラッチ回路３４に出力する。
【００３１】
ラッチ回路３４は、制御ロジック回路３５からのローレベルのリセット信号Ｒ１に応答して、ローレベルの出力信号Ｌ１を発生して制御ロジック回路３５及びアップダウンカウンタ回路３６に出力する。また、ラッチ回路３４は、制御ロジック回路３５からのリセット信号Ｒ１がハイレベルの期間において、制御ロジック回路３５からのクロック信号ＣＬ１の立ち上がりエッジの各タイミングで、比較器３３からの信号ＤＤの信号電圧を検出し、当該検出した信号電圧を示す信号を発生して、出力信号Ｌ１として制御ロジック回路３５及びアップダウンカウンタ回路３６に出力する。
【００３２】
アップダウンカウンタ回路３６は、制御ロジック回路３５からのローレベルのリセット信号Ｒ２に応答して、初期値「０」を有するカウント値ＮＣを発生してラッチ回路３７及び３８に出力する。また、アップダウンカウンタ回路３６は、制御ロジック回路３５からのリセット信号Ｒ２がハイレベルの期間において、制御ロジック回路３５からのクロック信号ＣＬ２の立ち上がりエッジの各タイミングで、ラッチ回路３４からの出力信号の信号電圧を検出し、当該検出した信号電圧がハイレベルの時はカウント値ＮＣから「１」を減じてラッチ回路３７及び３８に出力する一方、当該検出した信号電圧がローレベルの時はカウント値ＮＣに「１」を加算してラッチ回路３７及び３８に出力する。
【００３３】
ラッチ回路３７は、制御ロジック回路３５からのローレベルのリセット信号Ｒ３に応答して、カウント値「０」を示す出力信号Ｌ２を発生してＤ／Ａ変換器３９に出力する。また、ラッチ回路３７は、制御ロジック回路３５からのリセット信号Ｒ３がハイレベルの期間において、制御ロジック回路３５からのクロック信号ＣＬ３の立ち上がりエッジの各タイミングで、アップダウンカウンタ回路３６からのカウント値ＮＣを検出し、当該検出したカウント値を示す信号を発生して、出力信号Ｌ２としてＤ／Ａ変換器３９に出力する。さらに、Ｄ／Ａ変換器３９は、ラッチ回路３７からの出力信号Ｌ２をＤ／Ａ変換して、利得制御信号ＣＡとして可変利得増幅器１１に出力する。
【００３４】
ラッチ回路３８は、制御ロジック回路３５からのローレベルのリセット信号Ｒ３に応答して、カウント値「０」を示す出力信号Ｌ３を発生してＤ／Ａ変換器４０に出力する。また、ラッチ回路３８は、制御ロジック回路３５からのリセット信号Ｒ３がハイレベルの期間において、制御ロジック回路３５からのクロック信号ＣＬ４の立ち上がりエッジの各タイミングで、アップダウンカウンタ回路３６からのカウント値ＮＣを検出し、当該検出したカウント値を示す信号を発生して、出力信号Ｌ３としてＤ／Ａ変換器４０に出力する。さらに、Ｄ／Ａ変換器４０は、ラッチ回路３８からの出力信号Ｌ３をＤ／Ａ変換して、移相量制御信号ＣＰとして移相器９に出力する。
【００３５】
図８は、図１の無線受信装置の動作の一例を示すタイミングチャートである。図８において、タイミングｔ１からタイミングｔ９までの期間において、図１の無線受信装置は調整モードにされ、タイミングｔ９以降の期間において受信モードにされる。また、タイミングｔ１からタイミングｔ５までの期間において、振幅位相調整回路３０は振幅調整モードにされ、タイミングｔ５からタイミングｔ９までの期間において移相量調整モードにされる。また、図９は、図８のタイミングｔ１からタイミングｔ５までの振幅調整モードの期間における、利得制御信号ＣＡの信号電圧に対する図１の無線受信回路１００からの出力信号Ｓ１の信号電圧の関数を示すグラフである。さらに、図１０は、図８のタイミングｔ５からタイミングｔ９までの移相量調整モードの期間における、移相量制御信号ＣＰの信号電圧に対する図１の無線受信回路１００からの出力信号Ｓ１の信号電圧の関数を示すグラフである。図８〜図１０を参照して、以上のように構成された本実施形態に係る無線受信装置の動作を説明する。
【００３６】
図８において、タイミングｔ０で、図１の無線受信装置の電源をオンした後、制御ロジック回路３５は、ローレベルのモード切換信号ＭＳを発生してスイッチＳＷ１に出力し、これに応答して、スイッチＳＷ１は接点ｂ側に切り換えられる。
【００３７】
さらに、タイミングｔ０からタイミングｔ１３までの期間において、制御ロジック回路３５は、ローレベルのリセット信号Ｒ１を発生してラッチ回路３４に出力し、これに応答して、ラッチ回路３４はローレベルの出力信号Ｌ１を発生して制御ロジック回路３５及びアップダウンカンタ回路３６に出力する。また、タイミングｔ０から、タイミングｔ０から所定の時間経過後のタイミングｔ１までの期間において、制御ロジック回路３５は、ローレベルのリセット信号Ｒ２を発生してアップダウンカウンタ回路３６に出力し、これに応答して、アップダウンカウンタ回路３６は初期値「０」を有するカウント値ＮＣをラッチ回路３７及び３８に出力する。さらに、タイミングｔ０からタイミングｔ１までの期間において、制御ロジック回路３５はハイレベルのリセット信号Ｒ３を発生してラッチ回路３７に出力する一方、クロック信号ＣＬ３をラッチ回路３７に出力しないので、ラッチ回路３７からの出力信号Ｌ２は不定となる。これに応答して、Ｄ／Ａ変換器３９は、不定である利得制御信号ＣＡを発生して可変利得増幅器１１に出力する。またさらに、制御ロジック回路３５は、タイミングｔ０からタイミングｔ１までの期間において、ハイレベルのリセット信号Ｒ３を発生してラッチ回路３８に出力する一方、クロック信号ＣＬ４をラッチ回路３７に出力しないので、ラッチ回路３８からの出力信号Ｌ３は不定となる。これに応答して、Ｄ／Ａ変換器４０は、不定である移相量制御信号ＣＰを発生して移相器９に出力する。また、タイミングｔ０からタイミングｔ１３までの期間において、制御ロジック回路３５は、ハイレベルのサンプルホールド信号ＳＨを発生してサンプルホールド回路３２に出力する。
【００３８】
タイミングｔ１で、コントローラ２００は、所定のパルス幅を有するハイレベルのパルス信号である調整開始信号Ｃ０を発生して、振幅位相調整回路３０の制御ロジック回路３５に出力する。これに応答して、制御ロジック回路３５は、調整開始信号Ｃ０の立ち上がりエッジのタイミングで、ハイレベルのモード切換信号ＭＳを発生してスイッチＳＷ１に出力する。ハイレベルのモード切換信号ＭＳに応答して、スイッチＳＷ１は接点ａ側に切り換えられ、発振器２によって発生された基準イメージ信号はスイッチＳＷ１の接点ａを介して無線受信回路１００に入力信号Ｓ０として出力される。ここで、図１の無線受信装置は、タイミングｔ１で、調整モードにおける振幅調整モードにされる。
【００３９】
また、図８に示すように、調整モードの期間において、制御ロジック回路３５は、タイミングｔ１１で、クロック信号ＣＬ１〜ＣＬ４の発生を開始し、タイミングｔ１１からタイミングｔ９までの期間においてクロック信号ＣＬ１をラッチ回路３４に出力し、タイミングｔ１２からタイミングｔ９までの期間においてクロック信号ＣＬ２をアップダウンカウンタ回路３６に出力し、タイミングｔ２からタイミングｔ６までの期間においてクロック信号ＣＬ３をラッチ回路３７に出力し、タイミングｔ６からタイミングｔ９までの期間においてクロック信号ＣＬ４をラッチ回路３８に出力する。さらに、制御ロジック回路３５は、タイミングｔ１からタイミングｔ９までの期間において、クロック信号ＣＬ２の立ち下がりエッジの各タイミングで立ち下がり、Δｔ以上３Δｔ未満の所定のパルス幅を有するローレベルのサンプルホールド信号ＳＨを発生して、サンプルホールド回路３２に出力する。ここで、ローレベルのサンプルホールド信号ＳＨのパルス幅は、例えば２Δｔである。
【００４０】
また、タイミングｔ１からタイミングｔ３までの期間において、制御ロジック回路３５は、ハイレベルのリセット信号Ｒ２を発生してアップダウンカウンタ回路３６に出力する。これに応答して、アップダウンカウンタ回路３６は、タイミングｔ１からタイミングｔ１２までの期間において、初期値「０」を有するカウント値ＮＣを発生してラッチ回路３７及び３８に出力する。
【００４１】
さらに、制御ロジック回路３５は、タイミングｔ１で立ち下がりかつタイミングｔ１１より前の所定のタイミングで立ち上がるパルス状のリセット信号Ｒ３を発生して、ラッチ回路３７及び３８に出力する。これに応答して、ラッチ回路３７は、タイミングｔ１からタイミングｔ２までの期間において、初期値であるカウント値「０」を示す出力信号Ｌ２を発生してＤ／Ａ変換器３９に出力する。これに応答して、Ｄ／Ａ変換器３９は、タイミングｔ１からタイミングｔ２までの期間において、初期値ＣＡ０を有する利得制御信号ＣＡ（以下、利得制御信号ＣＡ０という。）を発生して可変利得増幅器１１に出力する。これに応答して、可変利得増幅器１１は、初期値ＣＡ０を有する利得制御信号ＣＡに対応する所定の利得を有するように制御され、混合器４からの信号を当該所定の利得で増幅して、帯域通過フィルタ５を介してＩ相信号として加算器１０に出力する。一方、制御ロジック回路３５からのパルス状のリセット信号Ｒ３に応答して、ラッチ回路３８は、タイミングｔ１からタイミングｔ６までの期間において、初期値であるカウント値「０」を示す出力信号Ｌ３を発生してＤ／Ａ変換器４０に出力する。これに応答して、Ｄ／Ａ変換器４０は、タイミングｔ１からタイミングｔ６までの期間において、初期値ＣＰ０を有する移相量制御信号ＣＰ（以下、移相量制御信号ＣＰ０という。）を発生して移相器９に出力する。移相器９は、帯域通過フィルタ８から入力されるＱ相信号を、移相量制御信号ＣＰ０に対応する所定の移相量だけ移相させて、移相後Ｑ相信号として加算器１０に出力する。加算器１０は、入力されるＩ相信号と移相後Ｑ相信号とを加算して、加算結果の信号を信号電圧Ｓ１０を有する出力信号Ｓ１として、振幅ＤＣ電圧変換回路３１及び後段の復調器に出力する。タイミングｔ１からタイミングｔ２までの期間において、出力信号Ｓ１の信号電圧Ｓ１０は、無線受信回路１００に利得制御信号ＣＡ０及び移相量制御信号ＣＰ０が出力されるときに、無線受信回路１００からの出力信号Ｓ１に含まれるイメージ信号成分の信号電圧を示す。
【００４２】
さらに、タイミングｔ１からタイミングｔ２までの期間において、振幅ＤＣ電圧変換回路３１は、入力される出力信号Ｓ１の信号電圧Ｓ１０を示す直流電圧信号Ｄ１を発生して、サンプルホールド回路３２及び比較器３３の非反転入力端子に出力する。一方、タイミングｔ０からタイミングｔ１３までの期間において、サンプルホールド回路３２にハイレベルのサンプルホールド信号ＳＨが入力されるので、サンプルホールド回路３２から比較器３３の反転入力端子に出力される出力信号Ｄ２は不定であり、比較器３３の出力信号ＤＤは不定である。
【００４３】
タイミングｔ１１で、制御ロジック回路３５はクロック信号ＣＬ１をラッチ回路３４に出力開始する。
【００４４】
タイミングｔ１２で、制御ロジック回路３５はクロック信号ＣＬ２をアップダウンカウンタ回路３６に出力開始する。タイミングｔ１２で、アップダウンカウンタ回路３６は、ラッチ回路３４からのローレベルの出力信号Ｌ１に応答して、カウント値ＮＣに「１」を加算する。さらに、タイミングｔ１２からタイミングｔ２２までの期間において、アップダウンカウンタ回路３６は、カウント値「１」を有するカウント値ＮＣをラッチ回路３７及び３８に出力する。
【００４５】
さらに、タイミングｔ１３からタイミングｔ１４までの期間において、制御ロジック回路３５は、ローレベルのサンプルホールド信号ＳＨを発生して、サンプルホールド回路３２に出力する。これに応答して、タイミングｔ１３からタイミングｔ１４までの期間において、サンプルホールド回路３２は、振幅ＤＣ電圧変換回路３１からの出力信号Ｄ１をそのまま出力信号Ｄ２として比較器３３の反転入力端子に出力する。これに応答して、比較器３３は、振幅ＤＣ電圧変換回路３１からの信号Ｄ１の信号電圧と信号電圧サンプルホールド回路３２からの信号Ｄ２の信号電圧とを比較し、信号Ｄ１の信号電圧と信号Ｄ２の信号電圧が等しいので、ローレベルの出力信号ＤＤを発生してラッチ回路３４に出力する。
【００４６】
タイミングｔ１４で、サンプルホールド回路３２は入力される信号Ｄ１の信号電圧を検出し、その後、タイミングｔ２３までの期間において、当該検出した信号電圧を保持して出力信号Ｄ２として比較器３３の反転入力端子に出力する。すなわち、タイミングｔ１４からタイミングｔ２３までの期間において、サンプルホールド回路３２は、利得制御信号ＣＡの信号電圧がＣＡ０であり、かつ移相量制御信号ＣＰの信号電圧がＣＰ０であるときに無線受信回路１００から出力される、イメージ信号成分のみを含む出力信号Ｓ１の信号電圧Ｓ１０を示す信号Ｄ１を保持して、出力信号Ｄ２として比較器３３の反転入力端子に出力する。
【００４７】
タイミングｔ１４からタイミングｔ２までの期間において、比較器３３は、振幅ＤＣ電圧変換回路３１からの信号Ｄ１の信号電圧と信号電圧サンプルホールド回路３２からの信号Ｄ２の信号電圧とを比較し、信号Ｄ１の信号電圧と信号Ｄ２の信号電圧が等しいので、ローレベルの出力信号ＤＤを発生してラッチ回路３４に出力する。
【００４８】
また、タイミングｔ１３からタイミングｔ３までの期間において、制御ロジック回路３５は、ハイレベルのリセット信号Ｒ１を発生してラッチ回路３４に出力する。
【００４９】
さらに、タイミングｔ１３からタイミングｔ２までの期間において、ラッチ回路３４はローレベルの出力信号Ｌ１を発生して制御ロジック回路３５及びアップダウンカウンタ回路３６に出力する。
【００５０】
以上詳述したように、タイミングｔ１からタイミングｔ２までの期間において、振幅ＤＣ電圧変換回路３１は、無線受信回路１００に利得制御信号ＣＡ０及び移相量制御信号ＣＰ０が出力されるときに、無線受信回路１００からの出力信号Ｓ１に含まれるイメージ信号成分の信号電圧Ｓ１０に基づいて出力信号Ｄ１を発生して、サンプルホールド回路３２に出力する。さらに、サンプルホールド回路３２は、当該入力される信号Ｄ１を保持して比較器３３の反転入力端子に出力する。
【００５１】
次に、タイミングｔ２で、ラッチ回路３７は、アップダウンカウンタ回路３６からのカウント値「１」を有するカウント値ＮＣを検出し、当該検出したカウント値「１」を示す出力信号Ｌ２を発生して、Ｄ／Ａ変換器３９に出力する。さらに、Ｄ／Ａ変換器３９は、ラッチ回路３７からの出力信号Ｌ２をＤ／Ａ変換して、信号電圧ＣＡ１を有する利得制御信号ＣＡ（以下、利得制御信号ＣＡ１という。）として可変利得増幅器１１に出力する。ここで、図９に示すように、信号電圧ＣＡ１は信号電圧ＣＡ０よりも大きい。一方、タイミングｔ０からタイミングｔ６までの期間において、クロック信号ＣＬ４はラッチ回路３８に出力されず、ラッチ回路３８はカウント値「０」を示す出力信号Ｌ３を発生してＤ／Ａ変換器４０に出力するので、Ｄ／Ａ変換器４０は移相量制御信号ＣＰ０を移相器９に出力する。従って、タイミングｔ２からタイミングｔ３までの期間において、無線受信回路１００は、入力される利得制御信号ＣＡの信号電圧がＣＡ１であり、かつ移相量制御信号ＣＰの信号電圧がＣＰ０のときに出力信号Ｓ１に含まれるイメージ信号成分の信号電圧Ｓ１１を有する出力信号Ｓ１を、振幅ＤＣ電圧変換回路３１に出力する。これに応答して、タイミングｔ２からタイミングｔ３までの期間において、振幅ＤＣ電圧変換回路３１は、信号電圧Ｓ１１を示す直流電圧信号Ｄ１を発生して、サンプルホールド回路３２及び比較器３３の非反転入力端子に出力する。ここで、図９に示すように、信号電圧Ｓ１１は信号電圧Ｓ１０よりも小さい。従って、タイミングｔ２からタイミングｔ２３までの期間において、比較器３３はローレベルの出力信号ＤＤを発生してラッチ回路３４に出力する。
【００５２】
タイミングｔ２１で、ラッチ回路３４は比較器３３からのローレベルの出力信号ＤＤの信号電圧を検出し、タイミングｔ２１からタイミングｔ３１までの期間において、ローレベルの出力信号Ｌ１を発生して制御ロジック回路３５及びアップダウンカウンタ回路３６に出力する。
【００５３】
タイミングｔ２２で、アップダウンカウンタ回路３６は、ラッチ回路３４からのローレベルの出力信号Ｌ１に応答して、カウント値ＮＣに「１」を加算する。さらに、タイミングｔ２２からタイミングｔ３２までの期間において、アップダウンカウンタ回路３６は、カウント値「２」を有するカウント値ＮＣをラッチ回路３７及び３８に出力する。
【００５４】
さらに、タイミングｔ２３からタイミングｔ２４までの期間において、制御ロジック回路３５は、ローレベルのサンプルホールド信号ＳＨを発生して、サンプルホールド回路３２に出力する。これに応答して、タイミングｔ２３からタイミングｔ２４までの期間において、サンプルホールド回路３２は、振幅ＤＣ電圧変換回路３１からの出力信号Ｄ１をそのまま出力信号Ｄ２として比較器３３の反転入力端子に出力する。これに応答して、比較器３３は、振幅ＤＣ電圧変換回路３１からの信号Ｄ１の信号電圧と信号電圧サンプルホールド回路３２からの信号Ｄ２の信号電圧とを比較し、信号Ｄ１の信号電圧と信号Ｄ２の信号電圧が等しいので、ローレベルの出力信号ＤＤを発生してラッチ回路３４に出力する。
【００５５】
タイミングｔ２４で、サンプルホールド回路３２は入力される信号Ｄ１の信号電圧を検出し、その後、タイミングｔ３３までの期間において、当該検出した信号電圧を保持して出力信号Ｄ２として比較器３３の反転入力端子に出力する。すなわち、タイミングｔ２４からタイミングｔ３３までの期間において、サンプルホールド回路３２は、利得制御信号ＣＡの信号電圧がＣＡ１であり、かつ移相量制御信号ＣＰの信号電圧がＣＰ０であるときに無線受信回路１００から出力される、イメージ信号成分のみを含む出力信号Ｓ１の信号電圧Ｓ１１を示す信号Ｄ１を保持して、出力信号Ｄ２として比較器３３の反転入力端子に出力する。
【００５６】
タイミングｔ２４からタイミングｔ３までの期間において、比較器３３は、振幅ＤＣ電圧変換回路３１からの信号Ｄ１の信号電圧と信号電圧サンプルホールド回路３２からの信号Ｄ２の信号電圧とを比較し、信号Ｄ１の信号電圧と信号Ｄ２の信号電圧が等しいので、ローレベルの出力信号ＤＤを発生してラッチ回路３４に出力する。
【００５７】
タイミングｔ２４で、制御ロジック回路３５は、ラッチ回路３４からの出力信号Ｌ１の信号電圧を検出し、ローレベルの出力信号Ｌ１に基づいて、以下のように、タイミングｔ３からタイミングｔ４までの期間において、振幅位相調整回路３０を引き続き振幅調整モードとする。すなわち、タイミングｔ３からタイミングｔ４までの期間において、制御ロジック回路３５は、ハイレベルのリセット信号Ｒ１を発生してラッチ回路３４に出力するとともに、ハイレベルのリセット信号Ｒ２を発生して、アップダウンカウンタ回路３６に出力する。さらに、制御ロジック回路３５は、タイミングｔ３で、クロック信号ＣＬ３をラッチ回路３７に出力し、タイミングｔ３からタイミングｔ４までの期間において、クロック信号ＣＬ４をラッチ回路３８に出力しない。
【００５８】
以上詳述したように、タイミングｔ２からタイミングｔ３までの期間において、ラッチ回路３４は、無線受信回路１００に利得制御信号ＣＡ１及び移相量制御信号ＣＰ０が出力されるときに、無線受信回路１００からの出力信号Ｓ１に含まれるイメージ信号成分の信号電圧Ｓ１１と、無線受信回路１００に利得制御信号ＣＡ０及び移相量制御信号ＣＰ０が出力されるときに、無線受信回路１００からの出力信号Ｓ１に含まれるイメージ信号成分の信号電圧Ｓ１０とを比較した結果を示す出力信号Ｌ１を発生してアップダウンカウンタ３６及び制御ロジック回路３５に出力する。さらに、アップダウンカウンタ３６は、入力される信号Ｌ１に基づいて、カウント値「２」を有するカウント値ＮＣをラッチ回路３７及び３８に出力する。また、タイミングｔ２からタイミングｔ３までの期間において、振幅ＤＣ電圧変換回路３１は、無線受信回路１００に利得制御信号ＣＡ１及び移相量制御信号ＣＰ０が出力されるときに、無線受信回路１００からの出力信号Ｓ１に含まれるイメージ信号成分の信号電圧Ｓ１１に基づいて出力信号Ｄ１を発生して、サンプルホールド回路３２に出力する。さらに、サンプルホールド回路３２は、当該入力される信号Ｄ１を保持して比較器３３の反転入力端子に出力する。
【００５９】
次に、タイミングｔ３で、ラッチ回路３７は、アップダウンカウンタ回路３６からのカウント値「２」を有するカウント値ＮＣを検出し、当該検出したカウント値「２」を示す出力信号Ｌ２を発生して、Ｄ／Ａ変換器３９に出力する。さらに、Ｄ／Ａ変換器３９は、ラッチ回路３７からの出力信号Ｌ２をＤ／Ａ変換して、信号電圧ＣＡ２を有する利得制御信号ＣＡ（以下、利得制御信号ＣＡ２という。）として可変利得増幅器１１に出力する。ここで、図９に示すように、信号電圧ＣＡ２は信号電圧ＣＡ１よりも大きい。一方、タイミングｔ０からタイミングｔ６までの期間において、クロック信号ＣＬ４はラッチ回路３８に出力されず、ラッチ回路３８はカウント値「０」を示す出力信号Ｌ３を発生してＤ／Ａ変換器４０に出力するので、Ｄ／Ａ変換器４０は移相量制御信号ＣＰ０を移相器９に出力する。従って、タイミングｔ３からタイミングｔ４までの期間において、無線受信回路１００は、入力される利得制御信号ＣＡの信号電圧がＣＡ２であり、かつ移相量制御信号ＣＰの信号電圧がＣＰ０のときに出力信号Ｓ１に含まれるイメージ信号成分の信号電圧Ｓ１２を有する出力信号Ｓ１を、振幅ＤＣ電圧変換回路３１に出力する。これに応答して、タイミングｔ３からタイミングｔ４までの期間において、振幅ＤＣ電圧変換回路３１は、信号電圧Ｓ１２を示す直流電圧信号Ｄ１を発生して、サンプルホールド回路３２及び比較器３３の非反転入力端子に出力する。ここで、図９に示すように、信号電圧Ｓ１２は信号電圧Ｓ１１よりも小さい。従って、タイミングｔ３からタイミングｔ３３までの期間において、比較器３３はローレベルの出力信号ＤＤを発生してラッチ回路３４に出力する。
【００６０】
タイミングｔ３１で、ラッチ回路３４は比較器３３からの出力信号ＤＤの信号電圧を検出し、タイミングｔ３１からタイミングｔ４１までの期間において、ローレベルの出力信号Ｌ１を発生して制御ロジック回路３５及びアップダウンカウンタ回路３６に出力する。
【００６１】
タイミングｔ３２で、アップダウンカウンタ回路３６は、ラッチ回路３４からのローレベルの出力信号Ｌ１に応答して、カウント値ＮＣに「１」を加算する。さらに、タイミングｔ３２からタイミングｔ４２までの期間において、アップダウンカウンタ回路３６は、カウント値「３」を有するカウント値ＮＣをラッチ回路３７及び３８に出力する。
【００６２】
さらに、タイミングｔ３３からタイミングｔ３４までの期間において、制御ロジック回路３５は、ローレベルのサンプルホールド信号ＳＨを発生して、サンプルホールド回路３２に出力する。これに応答して、タイミングｔ３３からタイミングｔ３４までの期間において、サンプルホールド回路３２は、振幅ＤＣ電圧変換回路３１からの出力信号Ｄ１をそのまま出力信号Ｄ２として比較器３３の反転入力端子に出力する。これに応答して、比較器３３は、振幅ＤＣ電圧変換回路３１からの信号Ｄ１の信号電圧と信号電圧サンプルホールド回路３２からの信号Ｄ２の信号電圧とを比較し、信号Ｄ１の信号電圧と信号Ｄ２の信号電圧が等しいので、ローレベルの出力信号ＤＤを発生してラッチ回路３４に出力する。
【００６３】
タイミングｔ３４で、サンプルホールド回路３２は入力される信号Ｄ１の信号電圧を検出し、その後、タイミングｔ４３までの期間において、当該検出した信号電圧を保持して出力信号Ｄ２として比較器３３の反転入力端子に出力する。すなわち、タイミングｔ３４からタイミングｔ４３までの期間において、サンプルホールド回路３２は、利得制御信号ＣＡの信号電圧がＣＡ２であり、かつ移相量制御信号ＣＰの信号電圧がＣＰ０であるときに無線受信回路１００から出力される、イメージ信号成分のみを含む出力信号Ｓ１の信号電圧Ｓ１２を示す信号Ｄ１を保持して、出力信号Ｄ２として比較器３３の反転入力端子に出力する。
【００６４】
タイミングｔ３４からタイミングｔ４までの期間において、比較器３３は、振幅ＤＣ電圧変換回路３１からの信号Ｄ１の信号電圧と信号電圧サンプルホールド回路３２からの信号Ｄ２の信号電圧とを比較し、信号Ｄ１の信号電圧と信号Ｄ２の信号電圧が等しいので、ローレベルの出力信号ＤＤを発生してラッチ回路３４に出力する。
【００６５】
タイミングｔ３４で、制御ロジック回路３５は、ラッチ回路３４からの出力信号Ｌ１の信号電圧を検出し、ローレベルの出力信号Ｌ１に基づいて、以下のように、タイミングｔ４からタイミングｔ５までの期間において、振幅位相調整回路３０を引き続き振幅調整モードとする。すなわち、タイミングｔ４からタイミングｔ５までの期間において、制御ロジック回路３５は、ハイレベルのリセット信号Ｒ１を発生してラッチ回路３４に出力するとともに、ハイレベルのリセット信号Ｒ２を発生して、アップダウンカウンタ回路３６に出力する。さらに、制御ロジック回路３５は、タイミングｔ４で、クロック信号ＣＬ３をラッチ回路３７に出力し、タイミングｔ５からタイミングｔ６までの期間において、クロック信号ＣＬ４をラッチ回路３８に出力しない。
【００６６】
以上詳述したように、タイミングｔ３からタイミングｔ４までの期間において、ラッチ回路３４は、無線受信回路１００に利得制御信号ＣＡ２及び移相量制御信号ＣＰ０が出力されるときに、無線受信回路１００からの出力信号Ｓ１に含まれるイメージ信号成分の信号電圧Ｓ１２と、無線受信回路１００に利得制御信号ＣＡ１及び移相量制御信号ＣＰ０が出力されるときに、無線受信回路１００からの出力信号Ｓ１に含まれるイメージ信号成分の信号電圧Ｓ１１とを比較した結果を示す出力信号Ｌ１を発生してアップダウンカウンタ３６及び制御ロジック回路３５に出力する。さらに、アップダウンカウンタ３６は、入力される信号Ｌ１に基づいて、カウント値「３」を有するカウント値ＮＣをラッチ回路３７及び３８に出力する。また、タイミングｔ３からタイミングｔ４までの期間において、振幅ＤＣ電圧変換回路３１は、無線受信回路１００に利得制御信号ＣＡ２及び移相量制御信号ＣＰ０が出力されるときに、無線受信回路１００からの出力信号Ｓ１に含まれるイメージ信号成分の信号電圧Ｓ１２に基づいて出力信号Ｄ１を発生して、サンプルホールド回路３２に出力する。さらに、サンプルホールド回路３２は、当該入力される信号Ｄ１を保持して比較器３３の反転入力端子に出力する。
【００６７】
次に、タイミングｔ４で、ラッチ回路３７は、アップダウンカウンタ回路３６からのカウント値「３」を有するカウント値ＮＣを検出し、当該検出したカウント値「３」を示す出力信号Ｌ２を発生して、Ｄ／Ａ変換器３９に出力する。さらに、Ｄ／Ａ変換器３９は、ラッチ回路３７からの出力信号Ｌ２をＤ／Ａ変換して、信号電圧ＣＡ３を有する利得制御信号ＣＡ（以下、利得制御信号ＣＡ３という。）として可変利得増幅器１１に出力する。ここで、図９に示すように、信号電圧ＣＡ３は信号電圧ＣＡ２よりも大きい。一方、タイミングｔ０からタイミングｔ６までの期間において、クロック信号ＣＬ４はラッチ回路３８に出力されず、ラッチ回路３８はカウント値「０」を示す出力信号Ｌ３を発生してＤ／Ａ変換器４０に出力するので、Ｄ／Ａ変換器４０は移相量制御信号ＣＰ０を移相器９に出力する。従って、タイミングｔ４からタイミングｔ５までの期間において、無線受信回路１００は、入力される利得制御信号ＣＡの信号電圧がＣＡ３であり、かつ移相量制御信号ＣＰの信号電圧がＣＰ０のときに出力信号Ｓ１に含まれるイメージ信号成分の信号電圧Ｓ１１を有する出力信号Ｓ１を、振幅ＤＣ電圧変換回路３１に出力する。これに応答して、タイミングｔ４からタイミングｔ５までの期間において、振幅ＤＣ電圧変換回路３１は、信号電圧Ｓ１１を示す直流電圧信号Ｄ１を発生して、サンプルホールド回路３２及び比較器３３の非反転入力端子に出力する。従って、タイミングｔ４からタイミングｔ４３までの期間において、比較器３３はハイレベルの出力信号ＤＤを発生してラッチ回路３４に出力する。
【００６８】
タイミングｔ４１で、ラッチ回路３４は比較器３３からの出力信号ＤＤの信号電圧を検出し、ハイレベルの出力信号Ｌ１を発生して制御ロジック回路３５及びアップダウンカウンタ回路３６に出力する。
【００６９】
タイミングｔ４２で、アップダウンカウンタ回路３６は、ラッチ回路３４からのハイレベルの出力信号Ｌ１に応答して、カウント値ＮＣから「１」を減算する。さらに、タイミングｔ４２からタイミングｔ５１までの期間において、アップダウンカウンタ回路３６は、カウント値「２」を有するカウント値ＮＣをラッチ回路３７及び３８に出力する。
【００７０】
さらに、タイミングｔ４３からタイミングｔ４４までの期間において、制御ロジック回路３５は、ローレベルのサンプルホールド信号ＳＨを発生して、サンプルホールド回路３２に出力する。これに応答して、タイミングｔ４３からタイミングｔ４４までの期間において、サンプルホールド回路３２は、振幅ＤＣ電圧変換回路３１からの出力信号Ｄ１をそのまま出力信号Ｄ２として比較器３３の反転入力端子に出力する。これに応答して、比較器３３は、振幅ＤＣ電圧変換回路３１からの信号Ｄ１の信号電圧と信号電圧サンプルホールド回路３２からの信号Ｄ２の信号電圧とを比較し、信号Ｄ１の信号電圧と信号Ｄ２の信号電圧が等しいので、ローレベルの出力信号ＤＤを発生してラッチ回路３４に出力する。
【００７１】
タイミングｔ４４で、サンプルホールド回路３２は入力される信号Ｄ１の信号電圧を検出し、その後、タイミングｔ５４までの期間において、当該検出した信号電圧を保持して出力信号Ｄ２として比較器３３の反転入力端子に出力する。すなわち、タイミングｔ４４からタイミングｔ５４までの期間において、サンプルホールド回路３２は、利得制御信号ＣＡの信号電圧がＣＡ３であり、かつ移相量制御信号ＣＰの信号電圧がＣＰ０であるときに無線受信回路１００から出力される、イメージ信号成分のみを含む出力信号Ｓ１の信号電圧Ｓ１１を示す信号Ｄ１を保持して、出力信号Ｄ２として比較器３３の反転入力端子に出力する。
【００７２】
タイミングｔ４４からタイミングｔ５までの期間において、比較器３３は、振幅ＤＣ電圧変換回路３１からの信号Ｄ１の信号電圧と信号電圧サンプルホールド回路３２からの信号Ｄ２の信号電圧とを比較し、信号Ｄ１の信号電圧と信号Ｄ２の信号電圧が等しいので、ローレベルの出力信号ＤＤを発生してラッチ回路３４に出力する。
【００７３】
タイミングｔ４４で、制御ロジック回路３５は、ラッチ回路３４からの出力信号Ｌ１の信号電圧を検出し、ハイレベルの出力信号Ｌ１に基づいて、以下のように、振幅位相調整回路３０を振幅調整モードから移相量調整モードに切り換える。すなわち、タイミングｔ５からタイミングｔ５４までの期間において、制御ロジック回路３５は、ローレベルのリセット信号Ｒ１を発生してラッチ回路３４に出力するとともに、タイミングｔ５１からタイミングｔ５２までの期間において、ローレベルのリセット信号Ｒ２を発生して、アップダウンカウンタ回路３６に出力する。さらに、制御ロジック回路３５は、タイミングｔ６以降の調整モード及び受信モードの期間において、クロック信号ＣＬ３をラッチ回路３７に出力停止し、タイミングｔ６からタイミングｔ９までの期間において、クロック信号ＣＬ４をラッチ回路３８に出力する。
【００７４】
以上詳述したように、タイミングｔ４からタイミングｔ５までの期間において、ラッチ回路３４は、無線受信回路１００に利得制御信号ＣＡ３及び移相量制御信号ＣＰ０が出力されるときに、無線受信回路１００からの出力信号Ｓ１に含まれるイメージ信号成分の信号電圧Ｓ１１と、無線受信回路１００に利得制御信号ＣＡ２及び移相量制御信号ＣＰ０が出力されるときに、無線受信回路１００からの出力信号Ｓ１に含まれるイメージ信号成分の信号電圧Ｓ１２とを比較した結果を示す出力信号Ｌ１を発生してアップダウンカウンタ３６及び制御ロジック回路３５に出力する。さらに、アップダウンカウンタ３６は、入力される信号Ｌ１に基づいて、カウント値「２」を有するカウント値ＮＣをラッチ回路３７及び３８に出力する。また、タイミングｔ４からタイミングｔ５までの期間において、振幅ＤＣ電圧変換回路３１は、無線受信回路１００に利得制御信号ＣＡ３及び移相量制御信号ＣＰ０が出力されるときに、無線受信回路１００からの出力信号Ｓ１に含まれるイメージ信号成分の信号電圧Ｓ１１に基づいて出力信号Ｄ１を発生して、サンプルホールド回路３２に出力する。さらに、サンプルホールド回路３２は、当該入力される信号Ｄ１を保持して比較器３３の反転入力端子に出力する。
【００７５】
次に、タイミングｔ５で、ローレベルのリセット信号Ｒ１に応答して、ラッチ回路３４はローレベルの出力信号Ｌ１を発生して制御ロジック回路３５及びアップダウンカウンタ回路３６に出力する。
【００７６】
さらに、タイミングｔ５で、ラッチ回路３７は、アップダウンカウンタ回路３６からのカウント値「２」を有するカウント値ＮＣを検出し、当該検出したカウント値「２」を示す出力信号Ｌ２を発生して、Ｄ／Ａ変換器３９に出力する。さらに、Ｄ／Ａ変換器３９は、ラッチ回路３７からの出力信号Ｌ２をＤ／Ａ変換して、利得制御信号ＣＡ２として可変利得増幅器１１に出力する。一方、タイミングｔ０からタイミングｔ６までの期間において、クロック信号ＣＬ４はラッチ回路３８に出力されず、ラッチ回路３８はカウント値「０」を示す出力信号Ｌ３を発生してＤ／Ａ変換器４０に出力するので、Ｄ／Ａ変換器４０は移相量制御信号ＣＰ０を移相器９に出力する。従って、タイミングｔ５からタイミングｔ６までの期間において、無線受信回路１００は、入力される利得制御信号ＣＡの信号電圧がＣＡ２であり、かつ移相量制御信号ＣＰの信号電圧がＣＰ０のときに出力信号Ｓ１に含まれるイメージ信号成分の信号電圧Ｓ１２を有する出力信号Ｓ１を、振幅ＤＣ電圧変換回路３１に出力する。これに応答して、タイミングｔ５からタイミングｔ６までの期間において、振幅ＤＣ電圧変換回路３１は、信号電圧Ｓ１２を示す直流電圧信号Ｄ１を発生して、サンプルホールド回路３２及び比較器３３の非反転入力端子に出力する。従って、タイミングｔ５からタイミングｔ５４までの期間において、比較器３３はローレベルの出力信号ＤＤを発生してラッチ回路３４に出力する。
【００７７】
タイミングｔ５からタイミングｔ５４までの期間において、リセット信号Ｒ１ハローレベルであり、タイミングｔ５４からタイミングｔ６１までの期間において、クロック信号ＣＬ１はラッチ回路３４に出力されないので、ラッチ回路３４は、タイミングｔ５３からタイミングｔ６１までの期間において、ローレベルの出力信号Ｌ１を発生して制御ロジック回路３５及びアップダウンカウンタ回路３６に出力する。
【００７８】
タイミングｔ５１で、ローレベルのリセット信号Ｒ２に応答して、アップダウンカウンタ回路３６は初期値「０」を有するカウント値ＮＣを発生してラッチ回路３７及び３８に出力する。次に、タイミングｔ５３で、アップダウンカウンタ回路３６は、ラッチ回路３４からのローレベルの出力信号Ｌ１に応答して、カウント値ＮＣに「１」を加算する。さらに、タイミングｔ５３からタイミングｔ６２までの期間において、アップダウンカウンタ回路３６は、カウント値「１」を有するカウント値ＮＣをラッチ回路３７及び３８に出力する。
【００７９】
さらに、タイミングｔ５４からｔ５５までの期間において、制御ロジック回路３５は、ローレベルのサンプルホールド信号ＳＨを発生して、サンプルホールド回路３２に出力する。これに応答して、タイミングｔ５４からタイミングｔ５５までの期間において、サンプルホールド回路３２は、振幅ＤＣ電圧変換回路３１からの出力信号Ｄ１をそのまま出力信号Ｄ２として比較器３３の反転入力端子に出力する。これに応答して、比較器３３は、振幅ＤＣ電圧変換回路３１からの信号Ｄ１の信号電圧と信号電圧サンプルホールド回路３２からの信号Ｄ２の信号電圧とを比較し、信号Ｄ１の信号電圧と信号Ｄ２の信号電圧が等しいので、ローレベルの出力信号ＤＤを発生してラッチ回路３４に出力する。
【００８０】
タイミングｔ５５で、サンプルホールド回路３２は入力される信号Ｄ１の信号電圧を検出し、その後、タイミングｔ６３までの期間において、当該検出した信号電圧を保持して出力信号Ｄ２として比較器３３の反転入力端子に出力する。すなわち、タイミングｔ５５からタイミングｔ６３までの期間において、サンプルホールド回路３２は、利得制御信号ＣＡの信号電圧がＣＡ２であり、かつ移相量制御信号ＣＰの信号電圧がＣＰ０であるときに無線受信回路１００から出力される、イメージ信号成分のみを含む出力信号Ｓ１の信号電圧Ｓ１２を示す信号Ｄ１を保持して、出力信号Ｄ２として比較器３３の反転入力端子に出力する。
【００８１】
タイミングｔ５５からタイミングｔ６までの期間において、比較器３３は、振幅ＤＣ電圧変換回路３１からの信号Ｄ１の信号電圧と信号電圧サンプルホールド回路３２からの信号Ｄ２の信号電圧とを比較し、信号Ｄ１の信号電圧と信号Ｄ２の信号電圧が等しいので、ローレベルの出力信号ＤＤを発生してラッチ回路３４に出力する。
【００８２】
タイミングｔ５５で、制御ロジック回路３５は、ラッチ回路３４からの出力信号Ｌ１の信号電圧を検出し、ローレベルの出力信号Ｌ１に基づいて、以下のように、タイミングｔ６からタイミングｔ７までの期間において、振幅位相調整回路３０を引き続き移相量調整モードとする。すなわち、タイミングｔ６からタイミングｔ７までの期間において、制御ロジック回路３５は、ハイレベルのリセット信号Ｒ１を発生してラッチ回路３４に出力するとともに、ハイレベルのリセット信号Ｒ２を発生して、アップダウンカウンタ回路３６に出力する。さらに、制御ロジック回路３５は、タイミングｔ６で、クロック信号ＣＬ４をラッチ回路３８に出力し、タイミングｔ６からタイミングｔ７までの期間において、クロック信号ＣＬ３をラッチ回路３７に出力しない。
【００８３】
以上詳述したように、タイミングｔ５からタイミングｔ６までの期間において、ラッチ回路３４は、無線受信回路１００に利得制御信号ＣＡ２及び移相量制御信号ＣＰ０が出力されるときに、無線受信回路１００からの出力信号Ｓ１に含まれるイメージ信号成分の信号電圧Ｓ１２と、無線受信回路１００に利得制御信号ＣＡ３及び移相量制御信号ＣＰ０が出力されるときに、無線受信回路１００からの出力信号Ｓ１に含まれるイメージ信号成分の信号電圧Ｓ１１とを比較した結果を示す出力信号Ｌ１を発生してアップダウンカウンタ３６及び制御ロジック回路３５に出力する。さらに、アップダウンカウンタ３６は、入力される信号Ｌ１に基づいて、カウント値「１」を有するカウント値ＮＣをラッチ回路３７及び３８に出力する。また、タイミングｔ５からタイミングｔ６までの期間において、振幅ＤＣ電圧変換回路３１は、無線受信回路１００に利得制御信号ＣＡ２及び移相量制御信号ＣＰ０が出力されるときに、無線受信回路１００からの出力信号Ｓ１に含まれるイメージ信号成分の信号電圧Ｓ１２に基づいて出力信号Ｄ１を発生して、サンプルホールド回路３２に出力する。さらに、サンプルホールド回路３２は、当該入力される信号Ｄ１を保持して比較器３３の反転入力端子に出力する。
【００８４】
次に、タイミングｔ６で、ラッチ回路３８は、アップダウンカウンタ回路３６からのカウント値「１」を有するカウント値ＮＣを検出し、当該検出したカウント値「１」を示す出力信号Ｌ３を発生して、Ｄ／Ａ変換器４０に出力する。さらに、Ｄ／Ａ変換器４０は、ラッチ回路３８からの出力信号Ｌ３をＤ／Ａ変換して、信号電圧ＣＰ１を有する移相量制御信号ＣＰ（以下、移相量制御信号ＣＰ１という。）として移相器９に出力する。ここで、図１０に示すように、信号電圧ＣＰ１は信号電圧ＣＰ０よりも大きい。一方、タイミングｔ６以降の期間において、クロック信号ＣＬ３はラッチ回路３７に出力されず、ラッチ回路３７はカウント値「２」を示す出力信号Ｌ２を発生してＤ／Ａ変換器３９に出力するので、Ｄ／Ａ変換器３９は利得制御信号ＣＡ２を可変利得増幅器１１に出力する。従って、タイミングｔ６からタイミングｔ７までの期間において、無線受信回路１００は、入力される利得制御信号ＣＡの信号電圧がＣＡ２であり、かつ移相量制御信号ＣＰの信号電圧がＣＰ１のときに出力信号Ｓ１に含まれるイメージ信号成分の信号電圧Ｓ１３を有する出力信号Ｓ１を、振幅ＤＣ電圧変換回路３１に出力する。これに応答して、タイミングｔ６からタイミングｔ７までの期間において、振幅ＤＣ電圧変換回路３１は、信号電圧Ｓ１３を示す直流電圧信号Ｄ１を発生して、サンプルホールド回路３２及び比較器３３の非反転入力端子に出力する。ここで、図１０に示すように、信号電圧Ｓ１３は信号電圧Ｓ１２よりも小さい。従って、タイミングｔ６からタイミングｔ６３までの期間において、比較器３３はローレベルの出力信号ＤＤを発生してラッチ回路３４に出力する。
【００８５】
タイミングｔ６１で、ラッチ回路３４は比較器３３からの出力信号ＤＤの信号電圧を検出し、タイミングｔ６１からタイミングｔ７１までの期間において、ローレベルの出力信号Ｌ１を発生して制御ロジック回路３５及びアップダウンカウンタ回路３６に出力する。
【００８６】
タイミングｔ６２で、アップダウンカウンタ回路３６は、ラッチ回路３４からのローレベルの出力信号Ｌ１に応答して、カウント値ＮＣに「１」を加算する。さらに、タイミングｔ６２からタイミングｔ７２までの期間において、アップダウンカウンタ回路３６は、カウント値「２」を有するカウント値ＮＣをラッチ回路３７及び３８に出力する。
【００８７】
さらに、タイミングｔ６３からｔ６４までの期間において、制御ロジック回路３５は、ローレベルのサンプルホールド信号ＳＨを発生して、サンプルホールド回路３２に出力する。これに応答して、タイミングｔ６３からタイミングｔ６４までの期間において、サンプルホールド回路３２は、振幅ＤＣ電圧変換回路３１からの出力信号Ｄ１をそのまま出力信号Ｄ２として比較器３３の反転入力端子に出力する。これに応答して、比較器３３は、振幅ＤＣ電圧変換回路３１からの信号Ｄ１の信号電圧と信号電圧サンプルホールド回路３２からの信号Ｄ２の信号電圧とを比較し、信号Ｄ１の信号電圧と信号Ｄ２の信号電圧が等しいので、ローレベルの出力信号ＤＤを発生してラッチ回路３４に出力する。
【００８８】
タイミングｔ６４で、サンプルホールド回路３２は入力される信号Ｄ１の信号電圧を検出し、その後、タイミングｔ７３までの期間において、当該検出した信号電圧を保持して出力信号Ｄ２として比較器３３の反転入力端子に出力する。すなわち、タイミングｔ６４からタイミングｔ７３までの期間において、サンプルホールド回路３２は、利得制御信号ＣＡの信号電圧がＣＡ２であり、かつ移相量制御信号ＣＰの信号電圧がＣＰ１であるときに無線受信回路１００から出力される、イメージ信号成分のみを含む出力信号Ｓ１の信号電圧Ｓ１３を示す信号Ｄ１を保持して、出力信号Ｄ２として比較器３３の反転入力端子に出力する。
【００８９】
タイミングｔ６４からタイミングｔ７までの期間において、比較器３３は、振幅ＤＣ電圧変換回路３１からの信号Ｄ１の信号電圧と信号電圧サンプルホールド回路３２からの信号Ｄ２の信号電圧とを比較し、信号Ｄ１の信号電圧と信号Ｄ２の信号電圧が等しいので、ローレベルの出力信号ＤＤを発生してラッチ回路３４に出力する。
【００９０】
タイミングｔ６４で、制御ロジック回路３５は、ラッチ回路３４からの出力信号Ｌ１の信号電圧を検出し、ローレベルの出力信号Ｌ１に基づいて、以下のように、タイミングｔ７からタイミングｔ８までの期間において、振幅位相調整回路３０を引き続き移相量調整モードとする。すなわち、タイミングｔ７からタイミングｔ８までの期間において、制御ロジック回路３５は、ハイレベルのリセット信号Ｒ１を発生してラッチ回路３４に出力するとともに、ハイレベルのリセット信号Ｒ２を発生して、アップダウンカウンタ回路３６に出力する。さらに、制御ロジック回路３５は、タイミングｔ７で、クロック信号ＣＬ４をラッチ回路３８に出力し、タイミングｔ７からタイミングｔ８までの期間において、クロック信号ＣＬ３をラッチ回路３７に出力しない。
【００９１】
以上詳述したように、タイミングｔ６からタイミングｔ７までの期間において、ラッチ回路３４は、無線受信回路１００に利得制御信号ＣＡ２及び移相量制御信号ＣＰ１が出力されるときに、無線受信回路１００からの出力信号Ｓ１に含まれるイメージ信号成分の信号電圧Ｓ１３と、無線受信回路１００に利得制御信号ＣＡ２及び移相量制御信号ＣＰ０が出力されるときに、無線受信回路１００からの出力信号Ｓ１に含まれるイメージ信号成分の信号電圧Ｓ１２とを比較した結果を示す出力信号Ｌ１を発生してアップダウンカウンタ３６及び制御ロジック回路３５に出力する。さらに、アップダウンカウンタ３６は、入力される信号Ｌ１に基づいて、カウント値「２」を有するカウント値ＮＣをラッチ回路３７及び３８に出力する。また、タイミングｔ６からタイミングｔ７までの期間において、振幅ＤＣ電圧変換回路３１は、無線受信回路１００に利得制御信号ＣＡ２及び移相量制御信号ＣＰ１が出力されるときに、無線受信回路１００からの出力信号Ｓ１に含まれるイメージ信号成分の信号電圧Ｓ１３に基づいて出力信号Ｄ１を発生して、サンプルホールド回路３２に出力する。さらに、サンプルホールド回路３２は、当該入力される信号Ｄ１を保持して比較器３３の反転入力端子に出力する。
【００９２】
次に、タイミングｔ７で、ラッチ回路３８は、アップダウンカウンタ回路３６からのカウント値「２」を有するカウント値ＮＣを検出し、当該検出したカウント値「２」を示す出力信号Ｌ３を発生して、Ｄ／Ａ変換器４０に出力する。さらに、Ｄ／Ａ変換器４０は、ラッチ回路３８からの出力信号Ｌ３をＤ／Ａ変換して、信号電圧ＣＰ２を有する移相量制御信号ＣＰ（以下、移相量制御信号ＣＰ２という。）として移相器９に出力する。ここで、図１０に示すように、信号電圧ＣＰ２は信号電圧ＣＰ１よりも大きい。一方、タイミングｔ６以降の期間において、クロック信号ＣＬ３はラッチ回路３７に出力されず、ラッチ回路３７はカウント値「２」を示す出力信号Ｌ２を発生してＤ／Ａ変換器３９に出力するので、Ｄ／Ａ変換器３９は利得制御信号ＣＡ２を可変利得増幅器１１に出力する。従って、タイミングｔ７からタイミングｔ８までの期間において、無線受信回路１００は、入力される利得制御信号ＣＡの信号電圧がＣＡ２であり、かつ移相量制御信号ＣＰの信号電圧がＣＰ２のときに出力信号Ｓ１に含まれるイメージ信号成分の信号電圧Ｓ１２を有する出力信号Ｓ１を、振幅ＤＣ電圧変換回路３１に出力する。これに応答して、タイミングｔ７からタイミングｔ８までの期間において、振幅ＤＣ電圧変換回路３１は、信号電圧Ｓ１２を示す直流電圧信号Ｄ１を発生して、サンプルホールド回路３２及び比較器３３の非反転入力端子に出力する。従って、タイミングｔ７からタイミングｔ７３までの期間において、比較器３３はハイレベルの出力信号ＤＤを発生してラッチ回路３４に出力する。
【００９３】
タイミングｔ７１で、ラッチ回路３４は比較器３３からの出力信号ＤＤの信号電圧を検出し、タイミングｔ７１からタイミングｔ８までの期間において、ハイレベルの出力信号Ｌ１を発生して制御ロジック回路３５及びアップダウンカウンタ回路３６に出力する。
【００９４】
タイミングｔ７２で、アップダウンカウンタ回路３６は、ラッチ回路３４からのハイレベルの出力信号Ｌ１に応答して、カウント値ＮＣから「１」を減算する。さらに、タイミングｔ７２以降の期間において、アップダウンカウンタ回路３６は、カウント値「１」を有するカウント値ＮＣをラッチ回路３７及び３８に出力する。
【００９５】
さらに、タイミングｔ７３からタイミングｔ７４までの期間において、制御ロジック回路３５は、ローレベルのサンプルホールド信号ＳＨを発生して、サンプルホールド回路３２に出力する。これに応答して、タイミングｔ７３からタイミングｔ７４までの期間において、サンプルホールド回路３２は、振幅ＤＣ電圧変換回路３１からの出力信号Ｄ１をそのまま出力信号Ｄ２として比較器３３の反転入力端子に出力する。これに応答して、比較器３３は、振幅ＤＣ電圧変換回路３１からの信号Ｄ１の信号電圧と信号電圧サンプルホールド回路３２からの信号Ｄ２の信号電圧とを比較し、信号Ｄ１の信号電圧と信号Ｄ２の信号電圧が等しいので、ローレベルの出力信号ＤＤを発生してラッチ回路３４に出力する。
【００９６】
タイミングｔ７４で、サンプルホールド回路３２は入力される信号Ｄ１の信号電圧を検出し、その後、当該検出した信号電圧を保持して出力信号Ｄ２として比較器３３の反転入力端子に出力する。すなわち、タイミングｔ７４以降の期間において、サンプルホールド回路３２は、利得制御信号ＣＡの信号電圧がＣＡ２であり、かつ移相量制御信号ＣＰの信号電圧がＣＰ２であるときに無線受信回路１００から出力される、イメージ信号成分のみを含む出力信号Ｓ１の信号電圧Ｓ１２を示す信号Ｄ１を保持して、出力信号Ｄ２として比較器３３の反転入力端子に出力する。
【００９７】
タイミングｔ７４からタイミングｔ８までの期間において、比較器３３は、振幅ＤＣ電圧変換回路３１からの信号Ｄ１の信号電圧と信号電圧サンプルホールド回路３２からの信号Ｄ２の信号電圧とを比較し、信号Ｄ１の信号電圧と信号Ｄ２の信号電圧が等しいので、ローレベルの出力信号ＤＤを発生してラッチ回路３４に出力する。
【００９８】
タイミングｔ７４で、制御ロジック回路３５は、ラッチ回路３４からの出力信号Ｌ１の信号電圧を検出し、ハイレベルの出力信号Ｌ１に基づいて、以下のように、図１の無線受信装置を調整モードから受信モードに切り換える。すなわち、クロック信号ＣＬ４の立ち下がりエッジのタイミングであるタイミングｔ９で、ローレベルのモード切換信号ＭＳを発生してスイッチＳＷ１に出力する。これに応答して、タイミングｔ９で、スイッチＳＷ１は接点ｂ側に切り換えられ、図１の無線受信装置は受信モードにされる。
【００９９】
タイミングｔ８で、ラッチ回路３８は、アップダウンカウンタ回路３６からのカウント値「１」を有するカウント値ＮＣを検出し、当該検出したカウント値「１」を示す信号を発生して、出力信号Ｌ３としてＤ／Ａ変換器４０に出力する。さらに、Ｄ／Ａ変換器４０は、ラッチ回路３８からの出力信号Ｌ３をＤ／Ａ変換して、移相量制御信号ＣＰ１として移相器９に出力する。一方、タイミングｔ６以降の期間において、クロック信号ＣＬ３はラッチ回路３７に出力されず、ラッチ回路３７はカウント値「２」を示す出力信号Ｌ２を発生してＤ／Ａ変換器３９に出力するので、Ｄ／Ａ変換器３９は利得制御信号ＣＡ２を可変利得増幅器１１に出力する。
【０１００】
タイミングｔ９以降の受信モードの期間において、振幅位相調整回路３０は、信号電圧ＣＡ２を有する利得制御信号ＣＡを発生して可変利得増幅器１１に出力するとともに、信号電圧ＣＰ１を有する移相量制御信号ＣＰを発生して移相器９に出力する。
【０１０１】
以上詳述したように、タイミングｔ７からタイミングｔ８までの期間において、ラッチ回路３４は、無線受信回路１００に利得制御信号ＣＡ２及び移相量制御信号ＣＰ２が出力されるときに、無線受信回路１００からの出力信号Ｓ１に含まれるイメージ信号成分の信号電圧Ｓ１２と、無線受信回路１００に利得制御信号ＣＡ２及び移相量制御信号ＣＰ１が出力されるときに、無線受信回路１００からの出力信号Ｓ１に含まれるイメージ信号成分の信号電圧Ｓ１３とを比較した結果を示す出力信号Ｌ１を発生してアップダウンカウンタ３６及び制御ロジック回路３５に出力する。さらに、アップダウンカウンタ３６は、入力される信号Ｌ１に基づいて、カウント値「１」を有するカウント値ＮＣをラッチ回路３７及び３８に出力する。
【０１０２】
以上詳述したように、本実施形態に係る無線受信装置によれば、振幅位相調整回路３０は、発振器２からの基準イメージ信号を無線受信回路１００へ入力信号Ｓ０として入力したときに、出力信号Ｓ１に含まれるイメージ信号成分の信号電圧が実質的に最小になるように、可変利得増幅器１１の利得及び移相器９の移相量を制御することにより、Ｉ相信号の信号電圧と移相後Ｑ相信号の位相とを調整するので、無線受信回路１００を構成する各回路の各特性がばらつきを有している場合にも、無線受信回路１００からの出力信号Ｓ１においてイメージ信号成分を実質的に除去でき、従来技術に比較して、確実にイメージ信号成分を実質的に除去できる。ここで、振幅位相調整回路３０は、局部発振周波数ｆｌと中間周波数ｆｉｆとの差の周波数であるイメージ周波数ｆｉｍを有する基準イメージ信号を無線受信回路１００に入力信号Ｓ０として入力したときに、無線受信回路１００からの出力信号Ｓ１である加算結果の中間周波信号の信号レベルが最小となるように、１対の中間周波信号であるＩ相信号及びＱ相信号の一方の中間周波信号の信号レベルと、１対の中間周波信号の一方又は他方の位相とを調整してもよい。
【０１０３】
また、以上詳述したように、コントローラ２００は、図１の無線受信装置の電源投入時及びアンテナ１で受信する所望の無線受信信号の周波数ｆｒの変更時に、所定のパルス幅を有するパルス信号である調整開始信号Ｃ０を発生して、振幅位相調整回路３０に出力する。これに応答して、振幅位相調整回路３０は、図１の無線受信装置の電源投入時及びアンテナ１で受信する所望の無線受信信号の周波数ｆｒの変更時に、当該無線受信装置を調整モードに設定して、利得制御信号ＣＡ及び移相量制御信号ＣＰの各信号電圧を、出力信号Ｓ１に含まれるイメージ信号成分が実質的に最小になるように調整するので、無線受信装置の周辺の温度又は無線受信装置の電源電圧が変動しても、従来技術に比較して、確実にイメージ信号成分を実質的に除去できる。
【０１０４】
さらに、振幅位相調整回路３０は、利得制御信号ＣＡ及び移相量制御信号ＣＰの各信号電圧を、出力信号Ｓ１に含まれるイメージ信号成分が実質的に最小になるように調整した後に、スイッチＳＷ１を接点ｂ側に切り換えるように制御して、図１の無線受信装置を受信モードに設定するので、受信モードにおいて、無線受信回路１００からの出力信号Ｓ１において、アンテナで受信した周波数ｆｒを有する所望の無線受信信号の中間周波信号以外の信号は実質的に相殺される。
【０１０５】
第１の実施形態の第１の変形例．
図１１は、第１の実施形態の第１の変形例に係る、無線受信回路１００Ａを含む無線受信装置の構成を示すブロック図である。第１の実施形態の第１の変形例は、図１１に示すように、第１の実施形態に比較して、図１の無線受信回路１００及び振幅位相調整回路３０を、１つの半導体集積回路である無線受信回路１００Ａとして構成したことを特徴とする。図１１において、第１の実施形態の第１の変形例に係る無線受信回路１００Ａは、無線受信回路１００と振幅位相調整回路３０とを備えて構成される。なお、当該第１の実施形態の第１の変形例の特徴的構成は、後述する第２〜第４の実施形態にも適用できる。
【０１０６】
第１の実施形態の第２の変形例．
図１２は、第１の実施形態の第２の変形例に係る、無線受信回路１００Ｂを含む無線受信装置の構成を示すブロック図である。第１の実施形態の第２の変形例は、図１２に示すように、第１の実施形態に比較して、図１の無線受信回路１００と、振幅位相調整回路３０と、コントローラ２００と、発振器２と、アンテナ１と、スイッチＳＷ１とを、１つの半導体集積回路である無線受信回路１００Ｂとして構成したことを特徴とする。図１２において、第１の実施形態の第２の変形例に係る無線受信回路１００Ｂは、無線受信回路１００と、振幅位相調整回路３０と、コントローラ２００と、発振器２と、アンテナ１と、スイッチＳＷ１とを備えて構成される。なお、当該第１の実施形態の第２の変形例の特徴的構成は、後述する第２〜第４の実施形態にも適用できる。
【０１０７】
上記の第１の実施形態及びその変形例において、無線受信回路１００は、入力信号Ｓ０に対して、所定の局部発振周波数ｆｌを有しかつ互いに９０度異なる位相を有する１つの局部発振信号を用いて、所定の中間周波数ｆｉｆを有する１つの中間周波信号であるＩ相信号及びＱ相信号に周波数変換し、Ｑ相信号を９０度だけ移相した後、Ｉ相信号及び移相後のＱ相信号を加算することにより、加算結果の中間周波信号である出力信号Ｓ１を出力した。しかしながら、本発明はこれに限らず、無線受信回路１００は、入力信号Ｓ０に対して、所定の局部発振周波数ｆｌを有しかつ互いに９０度異なる位相を有する１つの局部発振信号を用いて、所定の中間周波数ｆｉｆを有する１つの中間周波信号であるＩ相信号及びＱ相信号に周波数変換し、出力信号Ｓ１において所望の無線信号の中間周波信号以外の信号を相殺するように、Ｉ相信号を−９０度だけ移相した後、移相後のＩ相信号及びＱ相信号を加算することにより、加算結果の中間周波信号である出力信号Ｓ１を出力してもよい。この場合、無線受信回路１００において、移相器９に代えて、入力される信号を−９０度だけ移相させる移相器を帯域通過フィルタ５と加算器１０との間に挿入し、振幅位相調整回路３０は、移相量制御信号ＣＰを当該移相器に出力する。
【０１０８】
第２の実施形態．
図１３は、第２の実施形態に係る、無線受信回路１００Ｃを含む無線受信装置の構成を示すブロック図である。第２の実施形態は、第１の実施形態に比較して、振幅位相調整回路３０Ａは移相量制御信号ＣＰを移相器６に出力し、無線受信回路１００からの出力信号Ｓ１の信号電圧に基づいて、出力信号Ｓ１に含まれるイメージ信号成分の信号電圧が実質的に最小になるように、可変利得増幅器１１の利得を制御する利得制御信号ＣＡ及び移相器６の移相量を制御する移相量制御信号ＣＰの各信号電圧を調整したことを特徴とする。以下、第１の実施形態との相違点について詳述する。
【０１０９】
図１３において、第２の実施形態に係る無線受信装置は、アンテナ１と、発振器２と、スイッチＳＷ１と、無線受信回路１００Ｃと、振幅位相調整回路３０Ａと、コントローラ２００とを備えて構成される。ここで、無線受信回路１００Ｃは、混合器４及び７と、帯域通過フィルタ５及び８と、入力される信号を９０度だけ移相させる移相器６及び９と、局部発振器３と、加算器１０と、可変利得増幅器１１を備えて１つの半導体集積回路として構成される。ここで、移相器６は、振幅位相調整回路３０Ａからの移相量制御信号ＣＰに応答して、入力される信号を９０度を含む所定の範囲内の所定の移相量だけ移相させるように制御される。また、振幅位相調整回路３０Ａは、第１の実施形態と同様に、無線受信回路１００からの出力信号Ｓ１の信号電圧に基づいて、出力信号Ｓ１に含まれるイメージ信号成分の信号電圧が実質的に最小になるように、利得制御信号ＣＡ及び移相量制御信号ＣＰの各信号電圧を調整する。第２の実施形態は、第１の実施形態と同様の効果を奏する。なお、当該第２の実施形態の特徴的構成は、第１の実施形態及びその各変形例並びに後述する第３及び第４の実施形態にも適用できる。
【０１１０】
上記の第２の実施形態において、振幅検出回路３０Ａは、混合器４及び７にそれぞれ入力される１対の局部発振信号のうち、混合器７に入力される移相後の局部発振信号の位相を調整することにより、Ｑ相信号の位相を調整した。しかしながら、本発明はこれに限らず、振幅検出回路３０Ａは、混合器４及び７にそれぞれ入力される１対の局部発振信号のうち、混合器４に入力される局部発振信号の位相を調整することにより、Ｉ相信号の位相を調整してもよい。
【０１１１】
上記の第２の実施形態において、無線受信回路１００Ｃは、入力信号Ｓ０に対して、所定の局部発振周波数ｆｌを有しかつ互いに９０度異なる位相を有する１つの局部発振信号を用いて、所定の中間周波数ｆｉｆを有する１つの中間周波信号であるＩ相信号及びＱ相信号に周波数変換し、Ｑ相信号を９０度だけ移相した後、Ｉ相信号及び移相後のＱ相信号を加算することにより、加算結果の中間周波信号である出力信号Ｓ１を出力した。しかしながら、本発明はこれに限らず、無線受信回路１００Ｃは、入力信号Ｓ０に対して、所定の局部発振周波数ｆｌを有しかつ互いに９０度異なる位相を有する１つの局部発振信号を用いて、所定の中間周波数ｆｉｆを有する１つの中間周波信号であるＩ相信号及びＱ相信号に周波数変換し、出力信号Ｓ１において所望の無線信号の中間周波信号以外の信号を相殺するように、Ｉ相信号を−９０度だけ移相した後、移相後のＩ相信号及びＱ相信号を加算することにより、加算結果の中間周波信号である出力信号Ｓ１を出力してもよい。この場合、無線受信回路１００Ｃにおいて、移相器９に代えて、入力される信号を−９０度だけ移相させる移相器を帯域通過フィルタ５と加算器１０との間に挿入する。
【０１１２】
第３の実施形態．
図１４は、第３の実施形態に係る、無線受信回路１００Ｄを含む無線受信装置の構成を示すブロック図である。第３の実施形態は、第１の実施形態に比較して、可変利得増幅器１１の挿入位置を混合器７の後段に移動させ、振幅位相調整回路３０Ｂは、第１の実施形態と同様に、利得制御信号ＣＡを当該可変利得増幅器１１に出力し、無線受信回路１００からの出力信号Ｓ１の信号電圧に基づいて、出力信号Ｓ１に含まれるイメージ信号成分の信号電圧が実質的に最小になるように、可変利得増幅器１１の利得及び移相器６の移相量を制御したことを特徴とする。第３の実施形態は、第１の実施形態と同様の効果を奏する。なお、当該第３の実施形態の特徴的構成は、第１の実施形態及びその各変形例、第２の実施形態及び後述する第３及び第４の実施形態にも適用できる。
【０１１３】
上記の第３の実施形態において、無線受信回路１００Ｄは、入力信号Ｓ０に対して、所定の局部発振周波数ｆｌを有しかつ互いに異なる９０度位相を有する１つの局部発振信号を用いて、所定の中間周波数ｆｉｆを有する１つの中間周波信号であるＩ相信号及びＱ相信号に周波数変換し、Ｑ相信号を９０度だけ移相した後、Ｉ相信号及び移相後のＱ相信号を加算することにより、加算結果の中間周波信号である出力信号Ｓ１を出力した。しかしながら、本発明はこれに限らず、無線受信回路１００Ｄは、入力信号Ｓ０に対して、所定の局部発振周波数ｆｌを有しかつ互いに９０度異なる位相を有する１つの局部発振信号を用いて、所定の中間周波数ｆｉｆを有する１つの中間周波信号であるＩ相信号及びＱ相信号に周波数変換し、出力信号Ｓ１において所望の無線信号の中間周波信号以外の信号を相殺するように、Ｉ相信号を−９０度だけ移相した後、移相後のＩ相信号及びＱ相信号を加算することにより、加算結果の中間周波信号である出力信号Ｓ１を出力してもよい。この場合、無線受信回路１００Ｄにおいて、移相器９に代えて、入力される信号を−９０度だけ移相させる移相器を帯域通過フィルタ５と加算器１０との間に挿入し、振幅位相調整回路３０は、移相量制御信号ＣＰを当該移相器に出力する。
【０１１４】
第４の実施形態．
図１５は、第４の実施形態に係る無線受信装置の構成を示すブロック図である。第４の実施形態は、第１の実施形態に比較して、２つの無線受信回路１００ａ及び１００ｂにおいて、局部発振信号及び基準イメージ信号を発生して出力する発振器３ａ及び３ｂを備え、無線受信回路１００ａの調整モードにおいて発振器３ｂからの基準イメージ信号をスイッチＳＷ２ｂの接点ｂ及びスイッチＳＷ１ａの接点ａを介して無線受信回路１００ａに出力し、無線受信回路１００ｂの調整モードにおいて発振器３ａからの基準イメージ信号をスイッチＳＷ２ａの接点ｂ及びスイッチＳＷ１ｂの接点ａを介して無線受信回路１００ｂに出力した後、各無線受信回路１００ａ及び１００ｂをそれぞれ受信モードに設定し、各無線受信回路１００ａ及び１００ｂからの出力信号Ｓ１ａ及びＳ１ｂに対してダイバーシティ合成回路３０１において選択ダイバーシティ処理を行った後、処理後の信号を後段の復調器に出力したことを特徴とする。
【０１１５】
図１５において、第４の実施形態に係る無線受信装置は、アンテナ１ａ及び１ｂと、スイッチＳＷ１ａ及びＳＷ１ｂと、無線受信回路１００ａ及び１００ｂと、振幅位相調整回路３０ａ及び３０ｂと、コントローラ２００Ａと、ダイバーシティ合成回路３０１とを備えて構成される。ここで、振幅位相調整回路３０ａ及び３０ｂはそれぞれ、図２の振幅位相調整回路３０と同様に構成される。
【０１１６】
ここで、無線受信回路１１０ａは、混合器４及び７と、帯域通過フィルタ５及び８と、移相器６及び９と、可変利得増幅器１１と、コントローラ２００Ａからの周波数設定信号ＣＦａに応答して、局部発振周波数ｆｌを有する局部発振信号又はイメージ周波数ｆｉｍを有する基準イメージ信号を発生して出力する局部発振器３ａと、コントローラ２００Ａからの周波数切換信号ＣＳａに応答して接点ａ側又は接点ｂ側に切り換えられるスイッチＳＷ２ａと、加算器１０とを備えて１つの半導体集積回路として構成される。また、無線受信回路１１０ｂは、混合器４及び７と、帯域通過フィルタ５及び８と、移相器６及び９と、可変利得増幅器１１と、コントローラ２００Ａからの周波数設定信号ＣＦｂに応答して、局部発振周波数ｆｌを有する局部発振信号又はイメージ周波数ｆｉｍを有する基準イメージ信号を発生して出力する局部発振器３ｂと、コントローラ２００Ａからの周波数切換信号ＣＳｂに応答して接点ａ側又は接点ｂ側に切り換えられるスイッチＳＷ２ｂと、加算器１０とを備えて１つの半導体集積回路として構成される。
【０１１７】
図１５において、コントローラ２００Ａは、無線受信装置の全体の動作を制御するコントローラである。コントローラ２００Ａは、無線受信装置の電源投入時及びアンテナ１ａ及び１ｂで受信する所望の無線受信信号の周波数ｆｒの変更時に、はじめに、所定のパルス幅を有するパルス信号である調整開始信号Ｃ０ａを発生して振幅位相調整回路３０ａに出力する。これに応答して、第１の実施形態と同様に、振幅位相調整回路３０ａはハイレベルのモード切換信号ＭＳａを発生してスイッチＳＷ１ａに出力する。これに応答して、スイッチＳＷ１ａは接点ａ側に切り換えられる。さらに、コントローラ２００Ａは、スイッチＳＷ２ａを接点ａ側に切り換えるように制御する周波数切換信号ＣＳａを発生してスイッチＳＷ２ａに出力するとともに、局部発振信号を発生するように発振器３ａを制御する周波数設定信号ＣＦａを発生して発振器３ａに出力する。これに応答して、スイッチＳＷ２ａは接点ａ側に切り換えられ、発振器３ａは局部発振信号を発生して移相器６及び混合器４に出力する。またさらに、コントローラ２００Ａは、スイッチＳＷ２ｂを接点ｂ側に切り換えるように制御する周波数切換信号ＣＳｂを発生してスイッチＳＷ２ｂに出力するとともに、基準イメージ信号を発生するように発振器３ｂを制御する周波数設定信号ＣＦｂを発生して発振器３ｂに出力する。これに応答して、スイッチＳＷ２ｂは接点ｂ側に切り換えられ、発振器３ｂは基準イメージ信号を発生してスイッチＳＷ２ｂの接点ｂ及びスイッチＳＷ１ａの接点ａを介して無線受信回路１００ａに入力信号Ｓ０ａとして出力する。
【０１１８】
次に、振幅位相調整回路３０ａは、図１の振幅位相調整回路３０と同様に、無線受信回路１００ａからの出力信号Ｓ１ａの信号電圧に基づいて、出力信号Ｓ１ａに含まれるイメージ信号成分の信号電圧を実質的に最小にするように、利得制御信号ＣＡａの信号電圧及び移相量制御信号ＣＰａの各信号電圧を調整する。さらに、振幅位相調整回路３０ａは、第１の実施形態と同様に、ローレベルのモード切換信号ＭＳａを発生してスイッチＳＷ１ａ及びコントローラ２００Ａに出力する。これに応答して、スイッチＳＷ１ａは接点ｂ側に切り換えられる。
【０１１９】
ローレベルのモード切換信号ＭＳａに応答して、コントローラ２００Ａは、所定のパルス幅を有するパルス信号である調整開始信号Ｃ０ｂを発生して振幅位相調整回路３０ｂに出力する。これに応答して、第１の実施形態と同様に、振幅位相調整回路３０ｂはハイレベルのモード切換信号ＭＳｂを発生してスイッチＳＷ１ｂに出力する。これに応答して、スイッチＳＷ１ｂは接点ａ側に切り換えられる。さらに、コントローラ２００Ａは、スイッチＳＷ２ｂを接点ａ側に切り換えるように制御する周波数切換信号ＣＳｂを発生してスイッチＳＷ２ｂに出力するとともに、局部発振信号を発生するように発振器３ｂを制御する周波数設定信号ＣＦｂを発生して発振器３ｂに出力する。これに応答して、スイッチＳＷ２ｂは接点ａ側に切り換えられ、発振器３ｂは局部発振信号を発生して移相器６及び混合器４に出力する。またさらに、コントローラ２００Ａは、スイッチＳＷ２ａを接点ｂ側に切り換えるように制御する周波数切換信号ＣＳａを発生してスイッチＳＷ２ａに出力するとともに、基準イメージ信号を発生するように発振器３ａを制御する周波数設定信号ＣＦａを発生して発振器３ａに出力する。これに応答して、スイッチＳＷ２ａは接点ｂ側に切り換えられ、発振器３ａは基準イメージ信号を発生してスイッチＳＷ２ａの接点ｂ及びスイッチＳＷ１ｂの接点ａを介して無線受信回路１００ｂに入力信号Ｓ０ｂとして出力する。
【０１２０】
次に、振幅位相調整回路３０ｂは、図１の振幅位相調整回路３０と同様に、無線受信回路１００ｂからの出力信号Ｓ１ｂの信号電圧に基づいて、出力信号Ｓ１ｂに含まれるイメージ信号成分の信号電圧が実質的に最小になるように、利得制御信号ＣＡｂの信号電圧及び移相量制御信号ＣＰｂの各信号電圧を調整する。さらに、振幅位相調整回路３０ｂは、第１の実施形態と同様に、ローレベルのモード切換信号ＭＳｂを発生してスイッチＳＷ１ｂ及びコントローラ２００Ａに出力する。これに応答して、スイッチＳＷ１ｂは接点ｂ側に切り換えられる。
【０１２１】
ローレベルのモード切換信号ＭＳｂに応答して、振幅位相調整回路３０ａを、ローレベルのモード切換信号ＭＳａを発生してスイッチＳＷ１ａに出力するように制御する。これに応答して、スイッチＳＷ１ａは接点ｂ側に切り換えられる。さらに、コントローラ２００Ａは、スイッチＳＷ２ａを接点ａ側に切り換えるように制御する周波数切換信号ＣＳａを発生してスイッチＳＷ２ａに出力するとともに、局部発振信号を発生するように発振器３ａを制御する周波数設定信号ＣＦａを発生して発振器３ａに出力する。これに応答して、スイッチＳＷ２ａは接点ａ側に切り換えられ、発振器３ａは局部発振信号を発生して移相器６及び混合器４に出力する。
【０１２２】
ダイバーシティ合成回路３０１は、無線受信回路１００ａからの出力信号Ｓ１ａ及び無線受信回路１００ｂからの出力信号Ｓ１ｂに対して選択ダイバーシティ処理を行い、処理後の信号を後段の復調器に出力する。
【０１２３】
以上詳述したように、本実施形態に係る無線受信装置によれば、振幅位相調整回路３０ａは、無線受信回路１００ａからの出力信号Ｓ１ａの信号電圧に基づいて、出力信号Ｓ１ａに含まれるイメージ信号成分の信号電圧が実質的に最小になるように、可変利得増幅器１１の利得及び移相器９の移相量を制御しかつ、振幅位相調整回路３０ｂは、無線受信回路１００ｂからの出力信号Ｓ１ｂの信号電圧に基づいて、出力信号Ｓ１ｂに含まれるイメージ信号成分の信号電圧が実質的に最小になるように、可変利得増幅器１１の利得及び移相器９の移相量を制御するので、無線受信回路１００ａ及び１００ｂを構成する各回路の各特性がばらつきを有している場合にも、無線受信回路１００ａからの出力信号Ｓ１ａ及び無線受信回路１００ｂからの出力信号Ｓ１ｂにおいてイメージ信号成分を実質的に除去でき、従来技術に比較して、確実にイメージ信号成分を実質的に除去できる。
【０１２４】
さらに、コントローラ２００Ａは、無線受信回路１００ａの調整モードにおいて、発振器３ａからの局部発振信号をスイッチＳＷ２ａの接点ａを介して無線受信回路１００ａの移相器６及び混合器４に出力するように制御するとともに、発振器３ｂからの基準イメージ信号をスイッチＳＷ２ｂの接点ｂ及びスイッチＳＷ１ａの接点ａを介して無線受信回路１００ａに入力信号Ｓ０ａとして出力するように制御し、無線受信回路１００ｂの調整モードにおいて、発振器３ｂからの局部発振信号をスイッチＳＷ２ｂの接点ａを介して無線受信回路１００ｂの移相器６及び混合器４に出力するように制御するとともに、発振器３ａからの基準イメージ信号をスイッチＳＷ２ａの接点ｂ及びスイッチＳＷ１ｂの接点ａを介して入力信号Ｓ０ｂとして無線受信回路１００ｂに出力するように制御したので、従来技術に比較して、発振器の個数を２だけ削減でき、無線受信装置の構成を簡単化できる。
【０１２５】
なお、上記の実施形態において、図１５の無線受信装置は、アンテナ１ａと、スイッチＳＷ１ａと、無線受信回路１００ａと、振幅位相調整回路３０ａとを備えた第１の無線受信系統と、アンテナ１ｂと、スイッチＳＷ１ｂと、無線受信回路１００ｂと、振幅位相調整回路３０ｂとを備えた第２の無線受信系統とを備えたが、本発明はこれに限らず、３つ以上の複数の無線受信系統を備え、ダイバーシティ合成回路３０１は各無線受信系統からの出力信号に対して選択ダイバーシティ処理を実行してもよい。また、上記の実施形態において、ダイバーシティ合成回路３０１は選択ダイバーシティ処理を実行したが、本発明はこれに限らず、最大比合成を行う最大比合成ダイバーシティ処理を実行してもよい。
【０１２６】
また、上記の実施形態において、無線受信回路１００ａ及び１００ｂはそれぞれ、入力信号Ｓ０ａ及びＳ０ｂに対して、所定の局部発振周波数ｆｌを有しかつ互いに９０度異なる位相を有する１つの局部発振信号を用いて、所定の中間周波数ｆｉｆを有する１つの中間周波信号であるＩ相信号及びＱ相信号に周波数変換し、Ｑ相信号を９０度だけ移相した後、Ｉ相信号及び移相後のＱ相信号を加算することにより、加算結果の中間周波信号である出力信号Ｓ１ａ及びＳ１ｂを出力した。しかしながら、本発明はこれに限らず、無線受信回路１００ａ及び１００ｂはそれぞれは、入力信号Ｓ０ａ及びＳ０ｂに対して、所定の局部発振周波数ｆｌを有しかつ互いに９０度異なる位相を有する１つの局部発振信号を用いて、所定の中間周波数ｆｉｆを有する１つの中間周波信号であるＩ相信号及びＱ相信号に周波数変換し、出力信号Ｓ１ａ及びＳ１ｂにおいて所望の無線信号の中間周波信号以外の信号を相殺するように、Ｉ相信号を−９０度だけ移相した後、移相後のＩ相信号及びＱ相信号を加算することにより、加算結果の中間周波信号である出力信号Ｓ１ａ及びＳ１ｂを出力してもよい。この場合、無線受信回路１００ａにおいて、移相器９に代えて、入力される信号を−９０度だけ移相させる移相器を帯域通過フィルタ５と加算器１０との間に挿入し、振幅位相調整回路３０ａは、移相量制御信号ＣＰａを当該移相器に出力する。さらに、線受信回路１００ｂにおいて、移相器９に代えて、入力される信号を−９０度だけ移相させる移相器を帯域通過フィルタ５と加算器１０との間に挿入し、振幅位相調整回路３０ｂは、移相量制御信号ＣＰｂを当該移相器に出力する。
【０１２７】
上記の各実施形態及びその変形例において、振幅位相調整回路３０、３０ａ及び３０ｂは、調整モードにおいて、始めに移相量制御信号ＣＰの信号電圧を所定の初期値ＣＰ０に設定して出力信号Ｓ１の信号電圧が最小値となるように利得制御信号ＣＡの信号電圧を調整し、次に利得制御信号ＣＡの信号電圧を当該調整された信号電圧に設定して、出力信号Ｓ１の信号電圧が最小値となるように移相量制御信号ＣＰを調整した。しかしながら、本発明はこれに限らず、振幅位相調整回路３０、３０ａ及び３０ｂは、始めに利得制御信号ＣＡの信号電圧を所定の初期値ＣＡ０に設定して出力信号Ｓ１の信号電圧が最小値となるように移相量制御信号ＣＰの信号電圧を調整し、次に移相量制御信号ＣＰの信号電圧を当該調整された信号電圧に設定して、出力信号Ｓ１の信号電圧が最小値となるように利得制御信号ＣＡを調整してもよい。さらに、振幅位相調整回路３０、３０ａ及び３０ｂは、１対の中間周波信号であるＩ相信号及びＱ相信号の一方の中間周波信号の信号レベルである第１の変数と、上記１対の中間周波信号の一方又は他方の位相である第２の変数とのうちの一方の変数を所定値に設定し、加算器１０からの加算結果の中間周波信号である出力信号Ｓ１の信号レベルが最小となるように他方の変数を調整した後、当該他方の変数を当該調整後の変数に設定し、加算器１０からの加算結果の中間周波信号である出力信号Ｓ１の信号レベルが最小となるように上記一方の変数を調整してもよい。
【０１２８】
また、上記の各実施形態及びその変形例において、振幅位相調整回路３０、３０ａ及び３０ｂは、利得制御信号ＣＡ及び移相量制御信号ＣＰの各信号電圧を小さい信号電圧から大きい信号電圧に変化させることにより、無線受信回路１００からの出力信号Ｓ１に含まれるイメージ信号成分の信号電圧が最小になるように利得制御信号ＣＡ及び移相量制御信号ＣＰの各信号電圧を調整したが、本発明はこれに限らず、利得制御信号ＣＡ及び移相量制御信号ＣＰの各信号電圧を大きい信号電圧から小さい信号電圧に変化させることにより、無線受信回路１００からの出力信号Ｓ１に含まれるイメージ信号成分の信号電圧が最小になるように利得制御信号ＣＡ及び移相量制御信号ＣＰの各信号電圧を調整してもよい。さらに、挟み打ち法等の他のアルゴリズムによって、無線受信回路１００からの出力信号Ｓ１に含まれるイメージ信号成分の信号電圧が最小になる利得制御信号ＣＡ及び移相量制御信号ＣＰの各信号電圧を調整してもよい。
【０１２９】
上記の各実施形態及びその変形例において、制御ロジック回路３５はクロック信号ＣＬ１〜ＣＬ４を発生してラッチ回路３４、アップダウンカウンタ回路３６、ラッチ回路３７、及びラッチ回路３８に出力したが、本発明はこれに限らず、制御ロジック回路３５の外部に設けられるクロック信号発生器によって発生されるクロック信号ＣＬ１〜ＣＬ４を、制御ロジック回路３５を介してラッチ回路３４、アップダウンカウンタ回路３６、ラッチ回路３７、及びラッチ回路３８に出力してもよい。
【産業上の利用可能性】
【０１３０】
以上詳述したように、本発明に係る無線受信装置によれば、入力信号に対して、所定の局部発振周波数を有しかつ互いに９０度異なる位相を有する１対の局部発振信号を用いて、所定の中間周波数を有する１対の中間周波信号に周波数変換し、一方の中間周波信号を所定の移相量だけ移相した後、上記１対の中間周波信号を加算することにより加算結果の中間周波信号を出力する無線受信手段を備えた無線受信回路において、上記局部発振周波数と上記中間周波数との差の周波数であるイメージ周波数を有する基準イメージ信号を上記入力信号として入力したときに、上記加算結果の中間周波信号の信号レベルが最小となるように、上記１対の中間周波信号の一方の中間周波信号の信号レベルと、上記１対の中間周波信号の一方又は他方の位相とを調整する調整手段を備えたので、無線受信手段を構成する移相器、混合器、帯域通過フィルタ、加算器などの各回路が温度特性などの特性のばらつきを有する場合でも、加算結果の中間周波信号において、従来技術に比較して確実にイメージ信号成分を相殺できる。
【図面の簡単な説明】
【０１３１】
【図１】第１の実施形態に係る、無線受信回路１００を含む無線受信装置の構成を示すブロック図である。
【図２】図１の振幅位相調整回路３０の構成を示すブロック図である。
【図３】利得制御信号ＣＡの信号電圧に対する図１の可変利得増幅器１１の出力信号電圧の関数を示すグラフである。
【図４】移相量制御信号ＣＰの信号電圧を所定値に固定したときの、利得制御信号ＣＡの信号電圧に対する図１の無線受信回路１００からの出力信号Ｓ１に含まれるイメージ信号成分の振幅値の関数を示すグラフである。
【図５】移相量制御信号ＣＰの信号電圧に対する図１の移相器９の移相量の関数を示すグラフである。
【図６】利得制御信号ＣＡの信号電圧を所定値に固定したときの、移相量制御信号ＣＰの信号電圧に対する図１の無線受信回路１００からの出力信号Ｓ１に含まれるイメージ信号成分の振幅値の関数を示すグラフである。
【図７】図２の振幅ＤＣ電圧変換回路３１に無線受信回路１００から入力される出力信号Ｓ１の電圧レベルに対する振幅ＤＣ電圧変換回路３１の出力信号Ｄ１の信号電圧の関数を示すグラフである。
【図８】図１の無線受信装置の動作の一例を示すタイミングチャートである。
【図９】図８のタイミングｔ１からタイミングｔ５までの振幅調整モードの期間における、利得制御信号ＣＡの信号電圧に対する図１の無線受信回路１００からの出力信号Ｓ１の信号電圧の関数を示すグラフである。
【図１０】図８のタイミングｔ５からタイミングｔ９までの移相量調整モードの期間における、移相量制御信号ＣＰの信号電圧に対する図１の無線受信回路１００からの出力信号Ｓ１の信号電圧の関数を示すグラフである。
【図１１】第１の実施形態の第１の変形例に係る、無線受信回路１００Ａを含む無線受信装置の構成を示すブロック図である。
【図１２】第１の実施形態の第２の変形例に係る、無線受信回路１００Ｂを含む無線受信装置の構成を示すブロック図である。
【図１３】第２の実施形態に係る、無線受信回路１００Ｃを含む無線受信装置の構成を示すブロック図である。
【図１４】第３の実施形態に係る、無線受信回路１００Ｄを含む無線受信装置の構成を示すブロック図である。
【図１５】第４の実施形態に係る無線受信装置の構成を示すブロック図である。
【符号の説明】
【０１３２】
１，１ａ，１ｂ…アンテナ、
２，３ａ，３ｂ…発振器、
３…局部発振器、
４，７…混合器、
５，８…帯域通過フィルタ、
６，９…移相器、
１０…加算器、
１１…可変利得増幅器、
３０，３０Ａ，３０Ｂ，３０ａ，３０ｂ…振幅位相調整回路、
３１…振幅ＤＣ電圧変換回路、
３２…サンプルホールド回路、
３３…比較器、
３４，３７，３８…ラッチ回路、
３５…制御ロジック回路、
３６…アップダウンカウンタ回路
３９，４０…Ｄ／Ａ変換器
１００，１００Ａ，１００Ｂ，１００Ｃ，１００Ｄ，１００ａ，１００ｂ…無線受信回路、
２００，２００Ａ…コントローラ、
３０１…ダイバーシティ合成回路、
ＳＷ１，ＳＷ１ａ，ＳＷ１ｂ，ＳＷ２ａ，ＳＷ２ｂ…スイッチ。
【図１】
2008124954.tif 000003
【図２】
2008124954.tif 000004
【図３】
2008124954.tif 000005
【図４】
2008124954.tif 000006
【図５】
2008124954.tif 000007
【図６】
2008124954.tif 000008
【図７】
2008124954.tif 000009
【図８】
2008124954.tif 000010
【図９】
2008124954.tif 000011
【図１０】
2008124954.tif 000012
【図１１】
2008124954.tif 000013
【図１２】
2008124954.tif 000014
【図１３】
2008124954.tif 000015
【図１４】
2008124954.tif 000016
【図１５】
2008124954.tif 000017